(57)【要約】      （修正有）【課題】１以上の電気装置の状態及び電力レベルを制御し、プログラミングする、特殊機能を含む、ワイヤレス制御可能でプログラミング可能な電力制御装置。電気装置は電灯である。【解決手段】制御ユニット１０がオン状態にある間、選択アクチュエータ１２の下方部分の作動によって“下降”応答が行われる場合、光度レベル指示装置１４は、それらの元の位置から変化し、制御ユニット１０がオフ状態のとき、選択アクチュエータ１２の下方部分が作動すると、光度レベル指示装置１４は最初に“夜間照明モード”を指示する。下方部分１２ｂが解除されるまで上方の指示装置が連続的にオンオフを繰り返す。下方部分１２ｂが解除されると、選択された遅延時間を指示する光度レベル指示装置１４は“夜間照明モード”に戻る。【選択図】図１
2007294446.tif 000002
【特許請求の範囲】
【請求項１】
少なくとも一個の電気装置に供給される電力を制御する装置であって、
電力制御回路を有する少なくとも一個の制御ユニットと、
前記第１の制御ユニットスイッチの作動に応じて第１の制御信号を発生するための第１の制御ユニットスイッチとを有し、
前記電力制御回路が、前記第１の制御信号に応じて前記少なくとも一個の電気装置に供給される電力を制御し、
前記第１の制御信号が、前記制御ユニットに命令し、前記少なくとも一個の電気装置に供給される電力を第１の遅延時間後にゼロに低減し、この時、該第１の遅延時間を前記制御ユニットスイッチが作動する時間の長さに比例するようにした、
少なくとも一個の電気装置に供給される電力を制御する装置。
【請求項２】
少なくとも一個の電気装置に供給される電力を制御する装置であって、
電力制御回路と少なくとも一個の制御ユニットスイッチとを有し、第１、第２、及び第３の制御信号を発生するための少なくとも一個の制御ユニットを有し、
前記電力制御回路が、前記第１の制御信号に応じて前記少なくとも一個の電気装置に供給される電力を制御し、
前記第２の制御信号が、遅延時間の期間を第１のメモリに格納するよう少なくとも一個の制御ユニットに命令し、
前記第３の制御信号が、前記少なくとも一個の電気装置に供給される電力を遅延時間後にゼロでない電力レベルからゼロの電力レベルに低減するよう前記少なくとも一個の制御ユニットに命令する、
少なくとも一個の電気装置に供給される電力を制御する装置。
【請求項３】
第１の送信機スイッチを有し、少なくとも一個の送信された制御信号を発生し、前記少なくとも一個の制御ユニットに送信するためのワイヤレス送信機と、前記少なくとも一個の送信された制御信号を受信するための前記少なくとも一個の制御ユニット内の受信機とを有する請求項１または２に記載の装置。
【請求項４】
前記ワイヤレス送信機が赤外線を送信し、前記受信機が前記赤外線を受信する請求項３に記載の装置。
【請求項５】
前記少なくとも一個の制御ユニットが、前記第１の遅延時間の期間を指示する指示装置を更に有する請求項１に記載の装置。
【請求項６】
前記少なくとも一個の制御ユニットが前記第１の制御信号を受信したことを指示し、また前記少なくとも一個の制御ユニットが前記第１の遅延時間を開始したが、まだ前記第１の遅延時間の期間の終了に達していないことを指示する指示装置を前記少なくとも一個の制御ユニットが更に有する請求項１に記載の装置。
【請求項７】
前記第１の遅延時間の期間が、前記制御ユニットスイッチが閉止している時間の長さに比例する請求項１に記載の装置。
【請求項８】
一時的な時間の前記第１の制御ユニットスイッチの作動により、前記少なくとも一個の制御ユニットが命令を受け、前記作動前に前記電力制御回路が前記少なくとも一個の電気装置に供給されている電力をゼロでない電力レベルになるよう制御している場合、前記少なくとも一個の電気装置に供給される電力を前記第１の遅延時間無しにゼロでない電力レベルからゼロの電力レベルに低減し、また前記作動前に前記電力制御回路が前記少なくとも一個の電気装置に供給されている電力をゼロになるよう制御している場合、前記少なくとも一個の電気装置に供給される電力をゼロからゼロでない電力レベルに増大する請求項１に記載の装置。
【請求項９】
前記第１の制御ユニットスイッチが第２及び第３の制御信号を更に発生し、
前記第２の制御信号が、所定の電力レベルをメモリに格納するよう前記制御ユニットに命令し、
前記第３の制御信号が、前記所定の電力レベルを前記メモリから消去するよう前記制御ユニットに命令する請求項１に記載の装置。
【請求項１０】
第１の送信機スイッチを有し、第１の送信された制御信号を発生し、かつ前記少なくとも一個の制御ユニットに送信するためのワイヤレス送信機と、前記送信された制御信号を受信するための前記少なくとも一個の制御ユニット内の受信機とを更に有し、前記少なくとも一個の電気装置に供給される電力を第２の遅延時間後にゼロに低減する請求項１に記載の装置。
【請求項１１】
前記第２の遅延時間が前記第１の送信機スイッチが作動する時間の長さに比例する請求項１０に記載の装置。
【請求項１２】
前記少なくとも一個の制御ユニットが前記第３の制御信号を受信したことを指示するとともに、前記少なくとも一個の制御ユニットが前記の遅延時間を開始したが、まだ前記遅延時間の期間の終了に達していないという指示を前記少なくとも一個の制御ユニットが更に有する請求項２に記載の装置。
【請求項１３】
一時的な時間の前記第１の制御ユニットスイッチの作動により、前記少なくとも一個の制御ユニットが命令を受け、前記作動前に前記電力制御回路が前記少なくとも一個の電気装置に供給されている電力をゼロでない電力レベルになるよう制御している場合、前記少なくとも一個の電気装置に供給される電力をゼロでない電力レベルからゼロの電力レベルに低減し、また前記作動前に前記電力制御回路が前記少なくとも一個の電気装置に供給されている電力をゼロになるよう制御している場合、前記少なくとも一個の電気装置に供給される電力をゼロからゼロでない電力レベルに増大する請求項２に記載の装置。
【請求項１４】
前記第１の制御ユニットスイッチが第４及び第５の制御信号を更に発生し、
前記第４の制御信号が、所定の電力レベルを第２のメモリに格納するよう前記少なくとも一個の制御ユニットに命令し、
前記第５の制御信号が、前記所定の電力レベルを前記第２のメモリから消去するよう前記少なくとも一個の制御ユニットに命令する請求項２に記載の装置。
【請求項１５】
第２及び第３の制御ユニットスイッチを有し、前記第２の制御ユニットスイッチの作動により、前記少なくとも一個の制御ユニットが命令を受け、前記少なくとも一個の電気装置に供給される電力レベルを増大し、前記第３の制御ユニットスイッチの作動により、前記少なくとも一個の制御ユニットが命令を受け、前記少なくとも一個の電気装置に供給される電力レベルを低減し、前記少なくとも一個の制御ユニットが前記遅延時間の期間を設定する遅延設定スイッチを更に有する請求項１４に記載の装置。
【請求項１６】
前記遅延設定スイッチは前記第３の制御ユニットスイッチであり、前記少なくとも一個の制御ユニットが前記少なくとも一個の電気装置に供給される電力をゼロになるように制御している時に、前記第３の制御ユニットスイッチが前記遅延時間の期間を設定するのに使用される請求項１５に記載の装置。
【請求項１７】
第１の送信された制御信号を発生し、かつ前記少なくとも一個の制御ユニットに送信するための第１の送信機スイッチと、
前記送信制御信号を受信するための前記制御ユニット内の受信機と、を有するワイヤレス送信機を更に有し、
前記少なくとも一個の電気装置に供給される電力を前記遅延時間後にゼロでない電力レベルからゼロの電力レベルに低減させるよう前記送信制御信号が前記少なくとも一個の制御ユニットに命令する請求項２に記載の装置。
【発明の詳細な説明】
【技術分野】
【０００１】
発明の分野
本発明は、１以上の照明シーンをつくるため１以上の領域における１以上の電気装置の状態及び電力レベルを制御し、プログラミングする、ワイヤレス制御可能でプログラミング可能な電力制御装置に関する。
【背景技術】
【０００２】
発明の背景
スイッチ及び調光器を有する照明制御装置は、特定の部屋の光度レベルを正確に制御することが特に望ましい場合、益々一般化してきている。最も簡単なタイプの調光制御照明装置において、トライアック等のソリッドステート電力制御装置の切り替えを制御する可変抵抗器の設定を制御する調光スイッチアクチュエータは、手で操作される。ソリッドステート電力制御装置の切り替えは、調光される電灯への電圧入力を変化させる。調光スイッチを組み込んだこのタイプの装置は、製造が簡単容易であるが、特徴及び柔軟性を追加することに制限がある。この装置に欠ける特徴は、連続的に一連の光度レベルに調整した後、前のまたは所定の光度レベルに戻る性質である。通常、調光スイッチに基ずく装置は、前の光度設定を格納するが再び呼び戻す能力がない。その結果、所定の光度レベルは、調光器の可変抵抗器を操作する際の試行錯誤によってのみ再び確立することができる。
【０００３】
他の照明制御装置は、前述した手動により作動する可変抵抗器制御調光スイッチと関連するいくつかの制限を解決する接触型アクチュエータ作動照明制御装置を有する。接触型アクチュエータ作動制御装置の例では、電灯は延長された接触型入力に応答して薄暗い明るさから、明るい状態の光度範囲を繰り返しまわる。所望の光度に達したとき、接触入力が停止され、サイクルが停止し、光度のレベルがこのような装置によって通常与えられるメモリ機能に設定され格納される。通常、次の短いタッチ入力は電灯を消し、更に短いタッチの入力は、メモリに格納された設定光度レベルで電灯を点灯する。このタイプの装置が、手動によって作動する調光スイッチに関する改良であるが、異なる光度レベルに到達するために光度レベルのサイクルをめぐることをユーザに要求する。更に、このタイプの装置は、光度レベルが変化したとき、設定されたまたは所定の光度レベルに戻る能力が欠けている。ユーザは、所望の光度レベルを見いだすまで再びサイクルを通り抜けなければならない。更に、このタイプの装置は、１つの光度レベルから他の光度レベルまで次第に薄くなるようなある美的な効果を実行する能力がない。
【０００４】
米国特許第４，６４９，３２３号は、フェード効果を提供するマイクロコンピュータ制御照明装置を開示している。この特許に開示された制御は、入力をマイクロコンピュータに送る一対の非ラッチングスイッチによって作動する。マイクロコンピュータは、スイッチを動かすか保持するかどうか（すなわち、それらを一時的または長期間にわたって接触するかどうか）を決定するようにプログラムされている。スイッチが保持されたとき、光度は減少するか増大し、スイッチの解放によって光度設定をメモリに入力することができる。制御が静止光度レベルで作動する場合、スイッチに触れることにより光度レベルを所定のレベルまでフェードするか、オフするかオン、または中間レベルまでフェードさせる。タップは光度レベルをフェードしながらフェードを終結させ、どのスイッチに触れるかによって光度レベルをすぐにシフトするか、完全にオンするか完全にオフする。しかしながら、このタイプの制御は、それら自身欠点がないわけではない。例えば、ユーザによる１回のタップは、ユーザがスイッチをタップで作動させる時の制御の状態により全く異なる２つの方法（フェードの始まりまたはフェードの終わり）のいずれかと解釈される。これはユーザを混乱させる。ユーザはフェードを開始しようとするときに、フェードを誤って終了させるか、またはその逆もある。更に、フェードを進行させながら、同じスイッチの次のタップによってフェードを逆転することができない。その代わり、制御が一方向にフェードする間、タップは、フェードの方向を逆転しないが、制御をジャンプさせ完全にオンするかオフするようにする。低い光度レベルから完全にオンするまで、または、大きな光度から全く光度なし（完全にオフ）の突然のシフトは、（危険な場合、ユーザ及び他の者が突然暗くなったとしたら）ユーザにとってまたはその場の者にとってまったく驚きのものとなる。
【０００５】
また特許４，６４９，３２３号に開示された制御は、他の従来の制御設計がそうであるように長期のフェードオフが欠けている。多くの場合、ユーザは光を次第にフェードアウトすることができることが望ましい。例えば、ユーザは、就寝する前に寝室の照明を消そうとするが、照明が完全に消える前に制御場所からベットまで通路を安全にするのに十分な光を持ちたいと思う。また、大きな建物の夜間警備員が中央の場所から周囲の光を消す必要がある場合がある。この場所は出口から離れたある距離の位置にあり、出口に安全に歩くためにはあるレベルの照明を必要とする。これらの特徴は、従来の制御によっては不可能であり、これは、すぐに暗くなるかまたは夜間を通して一定のレベルの光度をユーザに提供するものであるが、そのいずれもが承諾しがたい。
【０００６】
共通に譲渡された米国特許第４，５７５，６６０号，４，９２４，１５１号，５，１９１，２６５号，５，２４８，９１９号、５，４３０，３５６号及び５，４６３，２８６号は、１以上の領域において、種々の照明制御装置を開示しており、この照明制御装置において、電灯または一連の電灯はいくつかの異なる照明シーンをつくるために明るさが変化する。各照明グループを構成する電灯の明るさのレベルは、ＬＥＤの数、直線的に配列された発光ダイオード、または直線的なトラックの電位差計スライダの位置のいずれかによってユーザに表示される。
【０００７】
米国特許第５，１９１，２６５号及び第５，４６３，２８６号は、１以上の領域において一連の照明を制御するために壁取付型のプログラマブルモジュラー制御装置を開示している。これらの装置において、照明はマスター制御壁モジュール、遠隔壁ユニットによって、及び遠隔ハンド保持制御ユニットによって制御される。ハンド保持ユニットは従来の赤外線（ＩＲ）通信技術によってマスタ制御モジュールと通信する。
【０００８】
特許第５，２４８，９１９号の照明制御装置は、１以上の照明の状態及び光度レベルを有効かつ安全に制御するために必要な照明制御の特徴全体を有する。しかしながら、この装置は、ワイヤレス遠隔制御性、プログラマビリティ、所定の機能及び遅延を固定及び解除する等の多くの所望の機能が欠如している。ユーザにとって、所定の光度レベルまたは状態に１以上の電灯をフェードすることができるか、または種々の遅延時間の後にフェードオフすることができることが望ましい。１以上の照明シーンに関連する１以上の電灯の所定の光度を遠隔的に制御し、プログラムすることができることが更に有利で望ましい。
【０００９】
“オンセット調光ＯＳ６００”として従来公知の他の照明装置は、Lightolier Controls社によって製造されている。ユーザが他の機能を実行するアクチュエータによって格納された所定の光度レベルを選択的に固定及び解除することができる本発明と異なり、従来技術のLightolier Controls社の装置は、格納されるとき所定の光度を解除することはできない。換言すれば、Lightolierの装置は異なる所定の光度レベルをメモリに固定するだけである。本発明と異なり、Lightolier装置は所定の光度レベルに固定するために別のアクチュエータを備えた分離したスイッチを使用する。
【００１０】
従来の制御装置の欠点を回避しながら、従来の制御装置では不可能な利点を提供する改良された照明制御装置のニーズがある。本発明はこのニーズを満たすものである。
【発明の開示】
【００１１】
発明の概要
本発明は、ワイヤレス遠隔制御可能なプログラマブル電力制御ユニットと、１以上の電気装置の状態及び電力レベルを制御及びプログラミングする少なくとも一個の電力制御ユニットを有する受信装置とに関する。電気装置が光源であるとき、１以上の電力制御ユニットは、１以上の照明シーンをつくる１以上の領域の１以上の光源の光度を制御する。この装置は、ユーザが作動可能なワイヤレス遠隔ハンドヘルド型の送信機ユニット及び遠隔送信機ユニットからの制御信号を受信するようになっている少なくとも一個の電力制御受信機ユニットを含む。電力制御ユニットの受信器は広角赤外線レンズを含み、この広角赤外線レンズは水平平面において広い視野を有するが、垂直平面においては視野が制限される。
【００１２】
本発明の１つの実施態様は、基本的にユーザが作動可能なワイヤレス遠隔制御ユニットを含む。基本的なワイヤレス遠隔制御ユニットは上昇／下降タイプの強度制御及び単一のオン／オフ制御装置を有する。基本的なワイヤレス遠隔制御ユニットは１以上の受信器ユニットに制御信号を送り、この受信器ユニットは１以上の領域において１以上の光源を制御する。各受信器ユニットは１以上の光源を制御する領域を定める。基本的なワイヤレス遠隔制御ユニットは、１以上の受信器ユニットを１つのグループとして制御することができる。これは、基本的な遠隔ユニットが同時に接続された電灯を制御するようすべての受信器ユニットに命令することを意味する。基本的なワイヤレス遠隔制御ユニットの独特の特徴は、受信器ユニットの模擬制御である。従って、基本的なワイヤレス遠隔制御装置に関する制御動作は、受信器ユニットについて対応する制御を行うと同様の効果を有する。
【００１３】
本発明の他の実施態様は、１以上のシーン選択スイッチを有する改良されたワイヤレス遠隔制御ユニットを有する。基本的なワイヤレス遠隔制御ユニットの特徴を有することに加えて、改良された遠隔制御ユニットは、シーン制御信号を１以上の受信器ユニットに送り、それらを１つのグループとして制御する。更に、改良されたワイヤレス遠隔制御ユニットは、各照明シーンに関連する照明レベルをプログラムすることができ、その結果、所望の所定光度レベルが確立され、受信器ユニットに格納される。
【００１４】
本発明の他の実施態様は、アドレス選択スイッチに加えて前の実施態様のすべての特徴を有する第２の基本的な、第２の改良されたワイヤレス遠隔制御ユニットを含む。アドレス選択スイッチは、個々にまたは１つのグループとして選択されたアドレスが割り当てられた１以上の受信器ユニットにアドレスを指定し、そのユニットに制御信号を送るのに使用される。受信器ユニットを制御することに加えて、受信器ユニットのアドレスが指定されると、アドレスを個々の受信器ユニットに割り当てるために第２の改良された遠隔制御ユニットを使用することができる。
【００１５】
本発明のすべての実施態様において、プログラムモードは受信器ユニットに内臓され、改良されたワイヤレス遠隔制御ユニットによって遠隔的にプログラムすることができる。プログラムモードにおいて、ユーザは、受信器ユニットによって制御される光について１以上の所望の所定の光度を選択し格納することができる。
【００１６】
本発明のすべての実施態様において、所定の光度レベルは、（プリセットを固定する）オン／オフスイッチの３回の作動によって、受信器ユニットに格納することができる。所定のレベルが格納され固定されると、受信器ユニットは直接または遠隔的に命令が与えられたときに固定された所定のレベルに戻る。また、格納された所定のレベルは（プリセットを解除する）オン／オフスイッチの４回の作動によって消去することができる。格納された所定のレベルがオフ命令の前にロックされない場合、受信器ユニットは、受信器ユニットが再びオンされると、それが最後のオフ命令の直前に設定された光度レベルに戻る。
【００１７】
本発明の好ましい実施態様において、基本的で改良されたワイヤレス遠隔制御ユニットは、制御信号を受信器ユニットに送信する手段としてエンコードされた従来の赤外線（ＩＲ）信号を使用する。エンコードされた制御信号は、シーン選択、光度の増大、光度の減少、照明のオン、照明のオフ、照明の拡大、遅延後の照明のオフ、プログラムモードへ入る、所定レベルの設定、アドレスの設定のような事項を命令するためのものである。しかしながら、他のエンコード信号を使用することができることも理解できるであろう。更に、高周波（ＲＦ）及び光波信号等の送受信手段を使用することができる。
【００１８】
本発明の好ましい実施態様において、ワイヤレス遠隔制御ユニット及び受信器ユニットは、少なくとも一個のシーン制御またはオン／オフ制御及び少なくとも一個の上昇／下降強度制御を有する。強度制御は、最小限の強度レベルと最大限の強度レベルとの間で所望の強度レベルをユーザが選択できるようにする。このシーン制御は、照明シーンを画定する１以上の領域において１以上の光源について所定の光度レベルをユーザが選択できるようにする。オン／オフ制御は、ユーザが光度をフェードオンまたはオフすることができるようにする。
【００１９】
更に、オン／オフ制御はユーザが追加の特徴を作動できるようにする。これらの追加的な特徴は、オフに可変遅延、及び完全にフェードを含むが、これらには制限されず、これは以下に更に詳細に説明する。
【００２０】
”オフにフェード”応答は、１回の作動例えばスイッチを開閉するのに十分な圧力を一時的に加えることによって行われ、これにより、任意の光度レベルからオフ状態に第１のフェード速度で少なくとも一個の受信器ユニットに関連するすべての照明をフェードする。
【００２１】
”所定にフェード”応答は、１回の作動によって行われ、これにより、オフ状態または任意の光度レベルからプログラムされた所定の光度レベルまで第１のフェード速度で照明をフェードさせる。
【００２２】
”オフに遅延”応答は、１回の押圧及び保持動作、すなわち、スイッチを開閉するために十分な圧力を一時的に多く加えるによって行われ、これにより、可変遅延の後、任意のレベルからオフ状態に第１のフェード速度で照明をフェードする。可変遅延はユーザの入力の関数であり、（保持時間−０．５）×２０秒に等しい。
【００２３】
”完全にフェード”は、２回の作動、すなわち、すばやく連続して加えられる、スイッチを開閉するために十分な一時的な圧力を２回加えることによって行われ、これにより、オフ状態または任意の光度レベルから最大限の光度レベルまで第２のフェード速度で照明をフェードする。
【００２４】
本発明の１つの実施態様において、光度選択アクチュエータは第１、第２及び第３の位置の間で作動可能なロッカースイッチを有する。第１の位置は光度レベルの増大に対応し、第２の位置は光度レベルの減少に対応する。第３の位置はニュートラル位置である。
【００２５】
他の実施態様において、光度選択アクチュエータは各々が第１及び第２の位置の間で作動可能な第１及び第２のスイッチを有する。第１のスイッチの作動によって、所望の光度レベルでの増大が生じ、第２のスイッチの作動によって特定のフェード速度で所望の光度レベルの減少が生じる。
【００２６】
受信器ユニットの特定の実施態様において、最小限の光度レベルから最大限の光度レベルまでの範囲を連続して表すように複数の照明強度指示装置が配置される。シーケンスでの各指示装置の位置は、制御された光源の最小及び最大光度レベルに対する光度レベルにを表す。このシーケンスは必ずしも直線的である必要はないが、直線的であってもよい。また本発明は、照明がオンするときに、所定の制御照明の光度レベルを目に見えるように指示するための第１の照明レベルを有する第１の指示装置を有する。好ましい実施態様は、照明がオフされたとき、所定の制御照明の光度レベルを目に見えるように指示するための第２の照明レベルを有する第２の指示装置を有する。第２の照明レベルは、前記光をオンするとき、第１の照明レベル以下である。第２の照明レベルは、暗い環境で前記指示装置を目で容易に知覚するのに十分であることが好ましい。
【００２７】
本発明の他の実施態様において、制御装置は可変ソフトウエアを有するマイクロコントローラを含むことが好ましい。マイクロコントローラは遅延時間を表すデジタルデータをメモリに格納する手段を有する。またマイクロコントローラは所定の強度レベルを表すデジタルデータをメモリに格納する手段を有する。更に、制御装置はメモリ内に格納されたフェード速度または遅延ないしオフを変更または変化させる手段を有する。またマイクロコントローラは、適当なフェード速度によって照明のフェードを開始する目的で制御スイッチの作動の一時的な時間と一時的な期間以上の時間との間を区別する手段を有する。
【００２８】
本発明の１つの実施態様において、すべてのフェード速度は等しい。他の実施態様において、各フェード速度は異なる。他の実施態様において、第２のフェード速度は第１のフェード速度より実質的に早い。
【００２９】
本発明の他の実施態様において、電力制御ユニットは、ワイヤレス赤外線送信器から送信された情報を含む赤外線信号を受信するための赤外線レンズを含む。
【００３０】
本発明の１つの態様において、レンズは平坦な赤外線受容面、赤外線出力面及びその間の平坦な赤外線送信体部を含む。レンズの出力面は赤外線検波器の入力面に対応する形状を有する。レンズの平坦な送信体部は楕円に実質的に対応する外部側面を有する。側面は長手方向の軸線の各側に配置され、長手方向の軸線はレンズによって定まる。楕円形の側面はレンズの入力面に入る赤外線を反射する形状である。光は側面から反射し、送信体部を介して通過する。出力面は赤外線を赤外線検波器の入力面に向けられている。赤外線検波器は実質的にレンズ出力面の後ろに配置されている。
【００３１】
本発明の他の態様において、赤外線レンズは、レンズの出力面が赤外線検波器の入力面に隣接するように可動部材に配置されている。この赤外線検波器はレンズの背後の固定位置に配置されている。可動部材及びレンズは赤外線検波器及び入力面にまたはそこから離れるような方向に移動する。
【００３２】
本発明を説明する目的で、現在好ましい図面の形態を示したが、本発明は正確な構成及び図示した手段には制限されない。
【発明を実施するための最良の形態】
【００３３】
詳細な説明
同様の要素には同様の符号を付して図面を参照する。図１を参照すると、少なくとも一個の電気装置（図示せず）へ送られる電力を制御する、本発明による電力制御装置を具体化する電力制御及び赤外線受信制御ユニット１０が示されている。制御ユニット１０はカバープレート１１と、複数の制御アクチュエータとを有する。この複数の制御アクチュエータは、ユーザが作動可能な電力レベル選択アクチュエータ１２と、以下、トグルスイッチアクチュエータ１３と称するユーザが作動可能な制御スイッチアクチュエータ１３と、エアギャップスイッチアクチュエータ１８とを有する。このアクチュエータ１８は制御ユニット１０への電力を除去するためにエアギャップスイッチ（図示せず）を制御する。更に制御ユニット１０は、直線状に配列された複数の個々のＬＥＤ１４の形の電力レベル指示装置を有する。
【００３４】
更に、制御ユニット１０はトグルスイッチアクチュエータ１３の開口部１５に設けた赤外線（ＩＲ）を受けるレンズ７０を有する。レンズ７０は以下に説明する多数のワイヤレス送信器ユニット２０，３０，４０，５０によって送信されるＩＲ信号を捕捉する。赤外線受容レンズ７０の構造については後でより詳細に説明する。
【００３５】
本発明の１つの態様において、電力制御信号は、ユーザが作動可能なワイヤレスハンドヘルドの基本的な遠隔制御装置２０か、図２，３，４，５に示すようなユーザ作動可能なワイヤレスハンドヘルドの改良された遠隔制御装置３０，４０，５０によって制御ユニット１０に送信される。
【００３６】
本発明の他の態様において、制御ユニット１０は１以上の電気装置を制御するために図１０に示すような電力制御及び赤外線受信回路１００を含む。制御ユニット１０は少なくとも一個の電気装置に送られる電力を制御するように構成されている。
【００３７】
好ましくは、制御ユニット１０によって制御される電気装置は、図１０に示すような電気電灯１１４である。この制御ユニット１０は位相制御トライアック回路または他の回路を使用することによって公知の方法で電灯へ送られる電力及び光度を制御する。
【００３８】
しかしながら、電気装置はファン、モータ、リレー等であってもよい。更に制御される電灯１１４のタイプは、白熱光電灯には制限されず、低電圧白熱光電灯、蛍光電灯または他の電灯であってもよい。
【００３９】
以下に示す好ましい実施例は、電気装置が電灯１１４であり、制御ユニット１０がこれらの電灯の強度を制御する内容で説明する。
【００４０】
電気装置が少なくとも一個の電灯を含むとき、少なくとも一個の電灯が照明領域（以下領域）を定める。複数の制御ユニット１０を組み込むことによって、複数の領域をつくり制御することができる。この領域は、電力レベル及び１以上の領域に関連する電灯の光度を制御することによって、照明シーン(以下シーン)を作るのに用いられ、これにより複数のシーンを作る。したがって、複数のシーンは、１以上の電力制御ユニット１０によってつくることができ、制御ユニットまたは遠隔送信器２０，３０，４０，５０によって制御することができる。
【００４１】
以下、この明細書で使用する“作動”または“作動する”は、１以上の極性を有するスイッチを開、閉または所定時間閉止したまま維持することのいずれかを意味する。本発明の好ましい実施例において、スイッチは瞬間接触型スイッチであり、スイッチを開閉のに十分な圧力をスイッチアクチュエータにかけることによって作動が行われる。しかしながら、他のタイプのスイッチも使用することができる。
【００４２】
電力制御及び受信機ユニット
図１を参照すると、電力レベル選択アクチュエータ１２は、制御ユニット１０によって制御される１以上の電灯の光度の所望のレベルを設定するためにユーザによって作動される。更に選択アクチュエータ１２は、高電力レベル選択部分１２ａと低電力レベル選択部分１２ｂとを有し、図１０に示す選択スイッチ６２ａ，６２ｂを制御する。
【００４３】
作動時、高電力レベル選択部分１２ａにより、制御ユニット１０の制御された電灯の光度の増大、すなわち、“上昇”が生じる。逆に、低電力レベル選択部分１２ｂは、オン状態で制御ユニット１０によって作動するとき、制御ユニット１０によって制御される電灯の光度の減少、すなわち、“下降”を起こす。更に、低電力レベル選択部分１２ｂは、制御ユニット１０がオフ状態であるとき作動すると、オフまでの遅延時間を設定し、格納するのに使用される。低電力レベル選択部分１２ｂの作動が長くなればなればなる程、設定及び格納される遅延時間も長くなる。
【００４４】
ユーザが作動可能な制御スイッチアクチュエータ１３の作動により、制御ユニット１０を種々の方法で応答させることができる。その作動は、制御スイッチ６３を作動させる制御スイッチアクチュエータ１３の正確な性質に依存する。すなわち、一時的な時間で作動させるか、一時的な時間より長い時間で作動させるか、または迅速に連続したいくつかの時間で作動させることにより、制御スイッチアクチュエータ１３の作動前の制御ユニット１０の状態に依存する。
【００４５】
本発明において、作動とは、作動時間が０．５秒未満である場合に一時的な時間を有することである。迅速に連続したアクチュエータの２回の連続作動（ダブルタップ）とは、互いに０．５秒内にある２つの一時的な作動を言う。迅速に連続したアクチュエータの３回の連続作動（トリプルタップ）とは、全部が１．０秒内にある３回の一時的な作動を言う。迅速に連続したアクチュエータの４回の連続作動（クアッドタップ）とは、すべてが１．５秒内にある４つの一時的な作動を言う。
【００４６】
これらの時間は、今のところ２回、３回または４回のタップ作動が生じたかどうかを決定するために好ましいが、本発明を逸脱することなく、短時間を使用することができる。例えば、本発明の他の実施例において、ダブルタップ、トリプルタップまたはクアッドタップが生じたかどうかを決定するために１．５秒の時間を使用することができ、本発明の他の実施例において、２つの連続作動が１．５秒に生じた場合、ダブルタップと考慮される。一時的な時間を有する複数の連続作動を探す時間は短時間と考慮される。
【００４７】
０．５秒以上のアクチュエータの作動を有することが可能であり、これは、性質において延長されるものと考えられ、延長された期間を有する。
【００４８】
制御スイッチアクチュエータ１３の作動に対する応答は、光度をゼロから所定のレベルに増大させ(プリセットにフェード)、光度を最大限にまで増大し（完全にフェード）、光度ゼロまで低減し(オフにフェード)、遅延後に、光度をゼロに減少し(オフに遅延する)、メモリ内に所定の光度レベルを格納する(ロックされたプリセット)及びメモリからの所定の光度レベルを除去する（ロックされたプリセットの中断)。これらの特徴は、制御ユニット１０に関連し、図１０に示すブロック図の１００に示され、図１３ないし図２０に示されるフローチャートに詳細に説明される回路装置によって実行される。
【００４９】
“プリセットにフェード”応答は、制御ユニットがオフ状態のとき、ユーザが作動可能な制御スイッチアクチュエータ１３の一時的な期間の１回の作動によって行われ、それによって、電灯１１４の強度をゼロから所定のレベルに第１のフェード速度で増大させる。これは、更に以下に後述するように、ロックされた所定のレベルか、制御ユニットがオン状態で連続であったときに、電灯が照明されていたレベルである。
【００５０】
“完全にフェード”応答は、２回の作動、すなわち、ユーザが制御スイッチアクチュエータ１３の迅速に連続した２回の一時期間の作動（ダブルタップ）によって行われ、それによって、電灯１１４の強度を第２のフェード速度でオフ状態または任意のレベルから最大限の強度レベルまで増大させる。
【００５１】
“オフにフェード”応答は、ユーザが作動可能な制御スイッチアクチュエータ１３の一時期間の１回の作動によって行われ、それによって、第３のフェード速度で任意の強度レベルからオフ状態に制御ユニット１０に関連した電灯１１４の強度を減少させる。
【００５２】
“オフに遅延”応答は、“延長作動”、すなわち、ユーザが作動可能な制御スイッチアクチュエータ１３の一時的な作動以上の作動によって実行され、それによって、電灯１１４の強度を遅延時間後に任意の光度レベルからオフ状態に第３のフェード速度で減少させる。遅延時間の期間、すなわち、ディレイ時間が始めから最後までどれくらいつづいたかは、制御スイッチアクチュエータ１３が作動する時間の長さに依存する。好ましい実施例において、遅延時間は制御スイッチアクチュエータ１３が作動する時間の長さに正比例する。
【００５３】
０．５秒未満の作動が一時的なまたは短い時間であると考慮される。０．５秒以上の作動は、制御スイッチアクチュエータ１３が作動する追加の０．５秒ごとに１０秒の遅延時間にの増大を生じる。従って、制御スイッチアクチュエータ１３が２秒にわたって保持される場合、遅延時間は３０秒である。
【００５４】
可変のオフにフェードは、制御スイッチアクチュエータ１３の“延長作動”によって行われ、電灯の光度を可変のフェード速度で任意の強度からオフに減少する。可変フェード速度は作動期間に依存する。ユニットが制御スイッチアクチュエータ１３の延長作動での可変遅延または可変のフェードにオフを有するかどうかは、図１０に示すマイクロプロセッサ１０８のプログラミングに依存する。
【００５５】
“ロックされたプリセット”応答は、ユーザが作動可能な制御スイッチアクチュエータ１３の迅速に連続した時間の３回の作動（トリプルタップ）によって行われる。電灯１１４の光度は変化しないが、光度レベルはロックされた所定のレベルとしてメモリに格納され、電灯の光度レベルへの連続した変化はロックされた所定のレベルには影響しない。
【００５６】
“ロックされたプリセットの中断”応答は、クアッド作動、すなわち、ユーザが作動可能な制御スイッチアクチュエータ１３の迅速に連続した一時期間の４回の作動（４つのタップ）によって行われる。電灯１１４の光度は変化しないが、ロックされた所定のレベルとしてメモリに格納された強度レベルは消去される。
【００５７】
ロックされた所定のレベルがメモリ内に格納され、制御ユニット１０がオフ状態にある場合、“プリセットにフェード”応答は、電灯１１４の光度をロックされた所定のレベルまで増大させる。、ロックされた所定のレベルがメモリ内に格納されず、制御ユニット１０がオフ状態にある場合、“プリセットにフェード”応答は、電灯１１４の光度を、制御ユニット１０が最後にＯＮ状態であったときに電灯１１４が照明していたレベルまで増大する。
【００５８】
制御スイッチアクチュエータ１３のマルチプルな作動について、ロックされた所定のレベルを格納または消去する方法を説明したが、これは、ロックされた所定のレベルを格納するスイッチとロックされた所定のレベルを消去するためのスイッチ２個を別途追加することによっても達成でき、また一個のスイッチを使用することによっても達成することができ、その連続的な作動は、ロックされた所定の電力レベルを交互に格納及び消去する。
【００５９】
制御ユニット１０が上述したようにオフ状態にあるとき、低電力レベルセレクタ部分１２ｂを作動することによって、遅延時間が格納された場合、制御ユニット１０がオン状態にあるときにユーザが作動可能な制御スイッチアクチュエータ１３の一時期間の１回の作動によって行われる“オフにフェード”応答によって、照明を格納された遅延時間はその所定の強度に維持し、照明を第３のフェード速度でオフ状態に減少させる。
【００６０】
図２１は、制御ユニット１０の２０秒間オフに遅延のオフに遅延のプロフィールを示す。このプロフィールは、４つの異なる始めの光度レベルにおいて、現在の光度レベルから始まって電灯１１４の光度レベルがどのように変化するかを示す。この場合、電灯１１４は、電灯の光度がゼロまで減少する前に２０秒間の遅延時間の間現在の光度レベルのままである。オフまでの遅延時間は可変であり、好ましい実施例は、１０秒間の歩進で１０ないし６０秒の可変のオフまでの遅延時間の範囲を有する。これらの遅延時間は現在好ましいものであるが、オフまでの遅延時間及び遅延時間の終了時のオフまでの関連するフェード速度は、本発明で使用される唯一ではなく、本発明から離れることなく、所望の遅延、フェード速度またはその組み合わせが使用される。
【００６１】
制御ユニット１０は遅延時間の間現在の光度レベル６００のままである。遅延時間の終了時、電灯１１４の光度はゼロに減少する。ゼロに減少するためのフェード速度６０２は毎秒３３％が適している。好ましくは、遅延時間及びフェード速度は、マイクロプロセッサ１０８のデジタルデータの形で格納され、メモリに格納されたオフへの遅延ルーティンによって必要なとき、メモリから呼び出される。
【００６２】
図２１に示す２０秒の遅延の間のオフに遅延のプロフィール及びオフへの他の可能な遅延時間のための同様なプロフィールは、制御ユニット１０が、制御スイッチアクチュエータ１３の延長作動に応答して“オフに遅延”を実行するかどうか、または制御スイッチアクチュエータ１３の一時作動に応答して前に格納された遅延時間によってオフに遅延しているかどうかに使用される。
【００６３】
制御ユニット１０及びカバープレート１１は特定の形には制限されず、照明制御装置の設定に通常使用される従来の壁ボックスに取り付けられるタイプが好ましい。
【００６４】
選択アクチュエータ１２及び制御スイッチアクチュエータ１３は特定の形態には制限されず、ユーザによって作動することができる適当な設計も可能である。好ましくは、必ずしもそうでなくともよいが、アクチュエータ１２は２つの分離した一時的な接触プッシュスイッチ６２ａ，６２ｂを制御するが、例えば、本発明から離れることなく、ロッカースイッチを制御するようにすることもできる。アクチュエータ１２の上方部分１２ａの作動は光度レベルを増大させ、すなわち、上昇させ、アクチュエータ１２の下方部分１２ｂの作動は光度レベルを減少させ、すなわち、降下させる。好ましくは、必ずしもそうでなくともよいが、アクチュエータ１３は、プッシュボタンの一時的な接触タイプのスイッチ５３を制御するが、スイッチ５３は、本発明の範囲から逸脱せずに、他の適当なタイプであってもよい。
【００６５】
同様に、制御スイッチアクチュエータ１３を作動させる効果は、特定の効果を有する制御スイッチの特定の作動シーケンスに関して上述したものであり、すなわち、“完全にフェード”応答は、２回のタップによって行われ、ロックされたプリセットは、３回のタップによって行われ、特定の作動シーケンスと特定の効果との関係は、本発明の範囲から逸脱せずに変化させることができる。例えば、本発明の他の実施例は、“完全にフェード”を３回のタップによって行うことができる。
【００６６】
制御ユニット１０は複数の光度レベルの指示装置１４の形の光度レベルの指示を有する。この指示装置は、好ましくは、発光ダイオード（ＬＥＤ）が好ましいが、必ずしもそれでなくともよい。光度レベル指示装置１４は便宜上しばしばＬＥＤと言及するが、かかる言及は発明の説明を容易にするためのものであり、特定の指示装置によって本発明を限定する意図はない。光度レベル指示装置１４は、この実施例において、制御ユニット１０によって制御された１以上の電灯の光度の範囲を表すように直線的な配列に配置される。光度の範囲は最小限の光度レベル（ゼロまたは“ｏｆｆ”）から、最大限の光度レベル（“ｆｕｌｌ  ｏｎ”）までである。制御された照明の光度は、電灯がオンのとき１つの光度レベル指示装置１４の好ましくは１００％出力で視覚表示される。
【００６７】
図１に示した好ましい実施例の光度レベル指示装置１４は直線的な配列において垂直方向に配列された７つの指示装置を示している。配列の最上端の指示装置を照明することによって、最大限の光度が指示される。中央の指示装置を照明することによって、光度レベルが中間点の範囲であることが示され、配列の最下端の指示装置を照明することによって、最小限の光度レベルが指示される。
【００６８】
光度レベル指示装置１４の適宜な数を使用することができる。配列の指示装置の数を増大することによって、更に細かい範囲内の光度レベル間のグラデーションを達成することができる。更に、電灯及び制御されている電灯がオフである場合、光度レベル指示装置１４の全ては、好ましくは、ユーザに都合のよい最大限の出力の０．５％の低レベル照明で常に照明することができる。電灯がオン状態に戻ったとき、電灯の実際の光度レベルを示す指示装置は最大限の出力の好ましくは２％でわずかに高い照明レベルで照明される。これらの照明特性は、光度レベル指示装置１４を暗い環境で更に容易に目で知覚することができるようにし、暗い部屋でスイッチを探す際にユーザを補助し、“夜間照明モ−ド”を構成する。本発明の重要な特徴は、部屋の照明を制御することに加えて、実際の光度レベルをユーザが一目で見ることができるようにレベル指示装置間に十分なコントラストを提供することである。
【００６９】
また光度レベル指示装置１４は、制御ユニット１０が制御スイッチアクチュエータ１３及び選択スイッチアクチュエータ１２の種々の作動にどのように応答するかに関して制御ユニット１０のユーザにフィードバックするために使用される。
【００７０】
例えば、制御ユニット１０がオフ状態であるとき、“プリセットにフェード”応答が制御スイッチアクチュエータ１３の一時的な期間の１回の作動によって行われるとき、光度レベル指示装置１４は“夜間照明モード”から変化し、最下方の指示装置を照明した後に、所定の光度レベルの光度を指示する指示装置が照明されるまで、光度が増加するにつれて、より上方の指示装置を連続的に照明する。
【００７１】
更に、“完全にフェード”応答が、制御スイッチアクチュエータ１３の２回のタップによって行われると、光度レベル指示装置は、それらの元の状態から変化し、光度が完全に増大するにつれて、配列内の最上端の指示装置が照明されるまで、連続的に上方の指示装置を照明する。
【００７２】
更に、制御ユニット１０がオン状態のとき、制御スイッチアクチュエータ１３の一時的な作動により、“オフにフェード”応答が行われるとき、光度レベル指示装置１４は、光度が最低レベルに減少するにつれて、それらの元の状態から変化し、連続的に下部の指示装置を照明する。最後に、光度レベル指示装置１４は、光度がゼロまで減少すると、“夜間照明モード”を指示する。
【００７３】
更に、“オフに遅延”応答は、制御ユニット１０がオン状態にあるとき、制御スイッチアクチュエータ１３の延長作動によって行われ、まず光度レベル指示装置１４は選択された遅延時間の長さを指示する。制御スイッチアクチュエータ１３が０．５秒の間閉止されて保持される場合、最下端の指示装置が１０秒の遅延が選択されたことを示すためにオンオフし、更に０．５秒後に、次の最も上方の指示装置がオンオフし、２０秒の遅延が選択されたことを指示する。このようなことが遅延時間に応じて行われる。連続して制御スイッチアクチュエータ１３が解除されるまで上方の指示装置が連続してオンオフを繰り返す。
【００７４】
制御スイッチアクチュエータ１３が解除されると、現在の光度レベルを示す指示装置は遅延時間の間オンオフを繰り返す。遅延時間の終了時、現在のレベルを示す指示装置が照明され、照明が最低レベルまで減少するにつれて連続的に下方の指示装置が照明される。最後に、光度がゼロまで減少すると、光度レベル指示装置１４が“夜間照明モード”を指示する。
【００７５】
“ロックされたプリセット”応答が制御スイッチアクチュエータ１３の３回の作動によって行われる場合、電灯の現在の光度レベルを表す光度レベル指示装置は、２Ｈｚの周波数で２回点滅し、光度レベルを連続的に格納したことを指示する。
【００７６】
“ロックされたプリセットの中断“応答が制御スイッチアクチュエータ１３の４回の作動によって行われると、電灯の現在の光度レベルを示す光度レベル指示装置は、２Ｈｚの周波数で２回点滅し、光度レベルをメモリから消去したことを指示する。
【００７７】
“上昇”の応答は、選択アクチュエータ１２の上方部分１２ａの作動によって行われ、光度レベル指示装置１４は、それらの元の位置から変化し、作動が終了するか、光度レベルが最大限に達したとき、配列内の最上端の指示装置１４が照明されるまで、作動が継続するにつれて、より上方の指示装置を連続的に照明する。
【００７８】
制御ユニット１０がオン状態にある間、選択アクチュエータ１２の下方部分の作動によって“下降”応答が行われる場合、光度レベル指示装置１４は、それらの元の位置から変化し、作動が終了するか、光度レベルが最小限に達したとき、配列内の最下端の指示装置１４が照明されるまで、作動が継続するにつれて、下方の指示装置を連続的に照明する。制御ユニット１０はオフされない。
【００７９】
最後に、制御ユニット１０がオフ状態のとき、選択アクチュエータ１２の下方部分が作動すると、光度レベル指示装置１４は最初に“夜間照明モード”を指示する。下方部分１２ｂが４．０秒にわたって作動した後、最下端の指示装置がオンオフを繰り返して、１０秒の遅延が選択されたことを指示する。０．５秒後、次いで上方の指示装置がオンオフを繰り返して、２０秒の遅延が選択されたことを指示し、下方部分１２ｂが解除されるまで上方の指示装置が連続的にオンオフを繰り返す。下方部分１２ｂが解除されると、選択された遅延時間を指示する指示装置は、２Ｈｚの周波数で２回ほど点滅し、遅延時間が連続して格納されたことを指示し、光度レベル指示装置１４は“夜間照明モード”に戻る。
【００８０】
ワイヤレス送信機ユニット
制御ユニット１０とともに使用するのに適した基本的な赤外線信号送信ワイヤレス遠隔制御ユニット２０の１つの実施例が、図２，２Ａ，２Ｂ及び２Ｃに示されている。
【００８１】
基本的なワイヤレス制御ユニット２０は複数の制御アクチュエータを有する。この制御ユニット２０は、ユーザが作動可能な送信電力レベル選択アクチュエータ２３と、関連する光度選択スイッチ２２３と、ユーザ作動可能な送信器制御スイッチアクチュエータ２１と、関連する送信器制御スイッチ２２１とを有する。送信器制御アクチュエータ２３は、更に、増大電力レベル選択部分２３ｂ及び減少電力レベル選択部分２３ｂを有し、各光度選択スイッチ２２３ａ，２２３ｂを制御する。
【００８２】
更に、基本的なワイヤレス制御ユニット２０は、図２Ｃに最もよく示すように、基本的なワイヤレス制御ユニット２０の端部２４の開口２５に設けた赤外線送信ダイオード２６を有する。別の例として、基本的なワイヤレス制御ユニット２０はアドレススイッチ２２２及びアドレススイッチアクチュエータ２２を有し、これは、更に以下に詳細に説明するように“送りアドレス”スイッチ（図示せず）と関連して使用される。スイッチ２２１，２２２，２２３ａ，２２３ｂは図１１に示されている。
【００８３】
基本的なワイヤレス遠隔制御ユニットの増大電力レベル選択部分２３ａ、下降電力レベル選択部分２３ａまたは送信器制御スイッチアクチュエータ２１の作動は、制御ユニット１０の高電力レベル選択部分１２ａと、低電力レベル選択部分１２ｂまたは制御スイッチアクチュエータ１３を作動すると同じ効果を有する。
【００８４】
基本的なワイヤレス遠隔制御ユニット２０のアクチュエータ２３ａ，２３ｂ，２１の作動により、各スイッチ２２３ａ，２２３ｂ，２２１を閉止することができる。スイッチの閉止はマイクロプロセッサ２７によって検出され、アクチュエータが作動したという情報は、図６及び図１１に関連して更に以下に詳細に説明するように、赤外線送信ダイオード２６からの赤外線信号を介して伝達される。
【００８５】
赤外線信号は赤外線受信器１０４によって検出され、信号情報は、図１０及び図１３ないし図２０の説明と関連して更に以下に詳細に説明するように、信号情報を解読するマイクロプロセッサ１０８に送られる。
【００８６】
通常、基本的なワイヤレス遠隔制御ユニット２０にアクチュエータを作動させることは、制御ユニット１０上の対応するアクチュエータを作動させるのと同じ効果を有する。よって、一時的な期間において送信器制御スイッチアクチュエータ２１を作動することは、一時的な期間に関して制御ユニット１０の制御スイッチアクチュエータ１３を作動させることと同じ効果を有する。（上述したように、正確な効果は作動の前の制御ユニット１０の状態に非常に依存する）。しかしながら、所望ならば、ある機能は制御ユニット１０からのみアクセスすることができ、基本的なワイヤレス遠隔制御ユニット２０からはアクセスすることができず、またはその逆のことも言える。例えば、送信器制御スイッチ２１の３回のタップは、制御ユニット１０に効果をもたらさず、これに対し、制御スイッチアクチュエータ１３の３回のタップは上述した効果を有する。
【００８７】
制御ユニット１０とともに使用することに適した改良された赤外線信号送信ワイヤレス遠隔制御ユニット３０の１実施例が、図３、３Ａ及び図３Ｂに示されている。改良されたワイヤレス制御ユニット３０は、ユーザが作動可能な送信器電力レベル選択アクチュエータ３３と、関連する光度選択スイッチ３３３と、ユーザが作動可能な送信器シーン制御アクチュエータ３１及び関連するスイッチ３３１とを有する。更に送信器選択アクチュエータ３３は、増大電気レベル選択部分３３ａと減少電力レベル選択部分３３ｂとを有し、選択スイッチ３３３ａ及び３３３ｂを制御する。更にシーン制御アクチュエータ３１は、シーン選択アクチュエータ３１ａとオフアクチュエータ３１ｂとを有し、各シーン制御スイッチ３３１ａ，３３１ｂを制御する。
【００８８】
更に、改良されたワイヤレス制御ユニット３０は赤外線送信ダイオード３６を有する。このダイオード３６は、図２Ｂに最もよく示すように、改良されたワイヤレス制御ユニット３０の端部３４の開口部３５に設けた赤外線送信ダイオード３６を有する。別の例として、改良されたワイヤレス制御ユニット３０は、アドレススイッチ３３２と、図示しないアドレススイッチアクチュエータ（基本的なワイヤレス制御ユニット２０とともに使用されるアドレススイッチアクチュエータと同じ）とを有する。スイッチ３３１ａ，３３１ｂ，３３２，３３３ａ，３３３ｂは図１２Ａに示されている。
【００８９】
改良されたワイヤレス制御ユニット３０の増大電力レベル選択部分３３ａまたは下降電力レベル選択部分３３ｂの作動は、制御ユニット１０の高電力レベル選択部分１２ａまたは低電力レベル選択部分１２ｂを作動させるのと同じ効果を有する。
【００９０】
一時的な時間におけるシーン選択アクチュエータ３１ａの作動により、その現在の光度レベル（オフである）から第１の予めプログラムされた所定の光度レベルまで第１のフェード速度で電灯の光度を変化させる。
【００９１】
迅速に連続した２つの一時的な時間に関するシーン選択アクチュエータ３１ａの作動により、（オフである）現在の光度レベルから第２の予めプログラムされた光度レベルまで第１のフェード速度で電灯１１４の光度を変化させる。
【００９２】
所定の光度レベルを予めプログラミングする方法を以下に詳細に説明する。
【００９３】
オフアクチュエータ３１ｂの作動は、制御ユニット１０がオン状態にあり、制御下でゼロでない電力レベルを電灯に送っている時、制御ユニット１０の制御スイッチアクチュエータ１３を作動させるのと同じ効果を有し、制御ユニット１０がオフ状態にあり、ゼロの電力を電灯に送っている時は効果をもたない、。従って、オフアクチュエータ３１ｂを作動させることによって、制御ユニット１０からオフにフェード応答またはオフにディレイ応答を行うことが可能である。
【００９４】
改良されたワイヤレス遠隔制御ユニット３０で作動するアクチュエータ３３ａ，３３ｂ，３１ａ，３１ｂの作動は、各スイッチ３３３ａ，３３３ｂ，３３１ａ，３３１ｂを閉止することができる。このスイッチの閉止はマイクロプロセッサ４７によって検出される。アクチュエータが作動したという情報は、図６及び図１２の説明に関連して更に以下に詳細に説明するように、赤外線送信ダイオード３６からの赤外線信号を介して送信される。
【００９５】
赤外線信号は赤外線受信器１０４によって検出され、信号情報はマイクロプロセッサ１０８に送られる。このマイクロプロセッサ１０８は、図１０及び図１３ないし図２０の説明に関連して更に以下に詳細に説明するように、信号情報を解読する。
【００９６】
制御ユニット１０とともに使用するのに適した改良された赤外線送信ワイヤレス遠隔制御ユニット４０の第２の実施例が、図４及び図４Ａに示されている。改良されたワイヤレス制御ユニット４０は複数の制御アクチュエータを有する。この制御ユニット４０は、ユーザが作動可能な送信器電力レベル選択アクチュエータ４３と、関連する光度選択スイッチ４４３と、ユーザが作動可能な送信器シーン制御アクチュエータ４１及び関連するスイッチ４４１を有する。送信器選択アクチュエータ４３はパドルアクチュエータであり、このパドルアクチュエータは、増大光度選択スイッチ４４３ａを作動させよう上方に移動し、減少光度選択スイッチ４４３ｂを作動させるよう下方に移動する。シーン制御アクチュエータ４１は、シーン選択アクチュエータ４１ａ，４１ｂ，４１ｃ，４１ｄと、各シーン制御スイッチ４４１ａ，４４１ｂ，４４１ｃ，４４１ｄ，４４１ｅを制御するオフアクチュエータ４１ｅとを有する。
【００９７】
更に、改良されたワイヤレス制御ユニット４０は、図４Ａにもっともよく示されるように、改良されたワイヤレス制御ユニット４０の端部４４の開口部４５に設けた赤外線送信ダイオード４６を有する。別の例として、改良されたワイヤレス制御ユニット４０は、アドレススイッチ４４２と、アドレススイッチアクチュエータ（図示はしないが、基本的なアイヤレス制御ユニット２０とともに使用するアドレススイッチアクチュエータ２２と同様である）とを有する。スイッチ４４１ａ，４４１ｂ，４４１ｃ，４４１ｄ，４４１ｅ，４４２，４４３ａ，４４３ｂは図１２Ｂに示される。
【００９８】
送信器選択アクチュエータを上方に移動することによる増大光度スイッチ４４３ａの作動は、制御ユニット１０の高電力レベル選択部分１２ａを作動するのと概ね同じ効果を有する。同様に、送信器選択アクチュエータを下方に移動することによる減少光度スイッチ４４３ｂの作動は、制御ユニット１０の低電力レベル選択部分１２ａを作動するのと概ね同じ効果を有する。
【００９９】
一時的な時間におけるシーン選択アクチュエータ４１ａ，４１ｂ，４１ｃ，４１ｄの各々の作動は、電灯１１４の光度を、（オフである）その現在の光度レベルから第１、第２、第３及び第４の予めプログラムされた所定のレベルに変化させる。
【０１００】
迅速に連続した２つの一時的な時間におけるシーン選択アクチュエータ４１ａ，４１ｂ，４１ｃ，４１ｄの各々の作動は、電灯１１４の光度を、（オフである）その現在の光度レベルから第５、第６、第７及び第８の予めプログラムされた所定のレベルに変化させる。
【０１０１】
本発明の所定の光度レベルをプログラムする方法を以下に説明する。
【０１０２】
オフアクチュエータ４１ｅの作動は、制御ユニット１０がオン状態にあり、制御下で電灯へゼロではない電力レベルを供給している時、制御ユニット１０の制御スイッチアクチュエータ１３を作動させるのと同じ効果を有し、制御ユニット１０がオフ状態にあり、電灯にゼロ電力を送っている時、効果をもたない。従って、オフアクチュエータ４１を作動することによって、制御ユニット１０からオフにフェードまたはオフに遅延応答を行うことが可能である。
【０１０３】
改良されたワイヤレス遠隔制御ユニット３０のアクチュエータ４３，４１ａ，４１ｂ，４１ｃ，４１ｄ，４１ｅの作動は、それらが作動させる各スイッチ４４３ａ，４４３ｂ，４４１ａ，４４１ｂ，４４１ｃ，４４１ｄ，４４１ｅを閉止することができる。このスイッチの閉止はマイクロプロセッサ４７によって検出される。アクチュエータが作動したという情報は、図６及び図１２Ｂの説明に関連して以下に更に詳細に説明するように、赤外線送信ダイオード４６から赤外線信号を介して送信される。
【０１０４】
赤外線信号は赤外線受信器１０４によって検出され、信号情報は、図１０及び図１３ないし２０の説明に関連して以下に更に詳細に説明するように、信号情報を解読するマイクロプロセッサ１０８に送られる。
【０１０５】
制御ユニットとともに使用するのに適した改良された赤外線送信ワイヤレス遠隔制御ユニット５０の第３の実施例が、図５及び図５Ａに示されている。
【０１０６】
改良されたワイヤレス制御ユニット５０は、ユーザが作動可能な送信器電力レベル選択アクチュエータ５３と、関連する光度選択スイッチ５５３と、ユーザが作動可能な送信器シーン制御アクチュエータ５１と、関連するスイッチ５５１とを有する。送信器選択アクチュエータ５３はパドルアクチュエータである。このパドルアクチュエータは、増大光度選択スイッチ５５３ａを作動させるよう上方に移動し、減少光度選択スイッチ５５３ｂを作動させるよう下方に移動する。シーン制御アクチュエータ５１は、シーン選択アクチュエータ５１ａ，５１ｂ，５１ｃ，５１ｄと、オフアクチュエータ５１ｅとを有し、各シーン制御スイッチ５５１ａ，５５１ｂ，５５１ｃ，５５１ｄ，５５１ｅを制御する。更に、シーン制御アクチュエータ５１は、特殊機能選択アクチュエータ５１ｆ、５１ｇ、５１ｈ、５１ｉを有し、各特殊機能制御スイッチ５５１ｆ，５５１ｇ，５５１ｈ，５５１ｉを制御する。
【０１０７】
更に、改良されたワイヤレス制御ユニット５０は、図５Ａにもっともよく示されるように、改良されたワイヤレス制御ユニット５０の端部５４の開口部５５に設けた赤外線送信ダイオード５６を有する。別の例として、改良されたワイヤレス制御ユニット５０は、アドレススイッチ５５２と、アドレススイッチアクチュエータ（図示はしないが、基本的なワイヤレス制御ユニット２２とともに使用するアドレススイッチアクチュエータ２２と同様である）とを有する。スイッチ５５１ａ，５５１ｂ，５５１ｃ，５５１ｄ，５５１ｅ，５５１ｆ，５５１ｇ，５５１ｈ，５５１ｉ，５５２，５５３ａ，５５３ｂは図１２Ｃに示されている。
【０１０８】
送信器選択アクチュエータを上方に移動することによる増大光度スイッチ５５３ａの作動は、制御ユニット１０の高電力レベル選択部分１２ａを作動するのと概ね同じ効果を有する。同様に、送信器選択アクチュエータを下方に移動することによる減少光度選択スイッチ５５３ｂの作動は、制御ユニット１０の下方電力レベル選択部分１２ｂを作動させるのと概ね同じ効果を有する。
【０１０９】
一時的な時間におけるシーン選択アクチュエータ５１ａ，５１ｂ，５１ｃ，５１ｄの各々の作動は、電灯１１４の光度を、その現在の光度レベル（オフである）から第１、第２、第３及び第４の予めプログラムされた所定のレベルに変化させる。
【０１１０】
迅速に連続した２回の一時的な時間におけるシーン選択アクチュエータ５１ａ，５１ｂ，５１ｃ，５１ｄの各々の作動は、電灯１１４の光度を、その現在の光度レベル（オフである）から第５、第６、第７及び第８の予めプログラムされた所定の光度レベルに変化させる。
【０１１１】
改良された送信器の第３の実施例５０は、各特殊機能スイッチ５５１ｆ，５５１ｇ，５５１ｈ，５５１ｉを制御する特殊機能アクチュエータ５１ｆ，５１ｇ，５１ｈ，５１ｉを有することにおいて改良された送信器の第２の実施例４０と異なっている。これらの特殊機能は、第９、第１０、第１１及び第１２番目の予めプログラムされた所定の光度レベルを選択するために、または特殊機能を選択するために使用することができる。別の例として、いくつかの特殊機能アクチュエータは、予めプログラムされた所定の光度レベルを選択するために使用し、あるものは特殊機能を選択するために使用することができる。
【０１１２】
所定の光度レベルを予めプログラムする方法及び特別の機能の性質を以下に詳細に説明する。
【０１１３】
オフアクチュエータ５１ｅの作動は、制御ユニット１０がオン状態にあり、制御下でゼロでない電力レベルを送っている時、制御ユニット１０の制御スイッチアクチュエータ１３を作動させるのと同じ効果を有し、制御ユニット１０がオフ状態にあり、ゼロ電力を電灯に送っている時、効果をもたない。従って、オフアクチュエータ５１ｅを作動させることによって、制御ユニット１０からオフにフェード応答またはオフに遅延応答を行うことが可能である。
【０１１４】
改良されたワイヤレス遠隔制御ユニット３０のアクチュエータ５３，５１ａ，５１ｂ，５１ｃ，５１ｄ，５１ｅ，５１ｆ，５１ｇ，５１ｈ，５１ｉの作動は、各スイッチ５５３ａ，５５３ｂ，５５１ａ，５５１ｂ，５５１ｃ，５５１ｄ，５５１ｅ，５５１ｆ，５５１ｇ，５５１ｈ，５５１ｉを閉止することができる。このスイッチの閉止はマイクロプロセッサ４７によって検出される。アクチュエータが作動したという情報は、図６及び図１２の説明に関連して更に以下に詳細に説明するように、赤外線送信ダイオード５６からの赤外線信号を介して送信される。
【０１１５】
赤外線信号は赤外線受信器１０４によって検出される。信号情報はマイクロプロセッサ１０８に送られ、このマイクロプロセッサ１０８は、図１０及び図１３ないし図２０の説明に関連して更に以下に詳細に説明するように、信号情報を解読する。
【０１１６】
改良されたワイヤレス制御ユニット３０，４０，５０からアクセスされる所定の光度レベルを予めプログラムする方法は、改良された遠隔制御装置の各々と同様である。
【０１１７】
制御ユニット１０のプログラミングモードは、制御ユニット１０がプログラミングモードに入るときに赤外線信号を送信器から制御ユニット１０に送信しながら、改良された遠隔制御装置のアクチュエータの組み合わせを作動させ、閉止されるアクチュエータによって制御されるスイッチを一定時間の間閉止状態に維持することによって入力される。
【０１１８】
図３，３Ａ及び３Ｂに示した改良された遠隔制御３０の実施例の場合、プログラミングモードはシーン選択アクチュエータ３１ａ及びオフアクチュエータ３１ｂを同時に作動させることによって入力される。図４及び図４Ａに示す実施例４０の場合、プログラミングモードはシーン選択アクチュエータ４１ａ及びオフアクチュエータ４１ｅを同時に作動することによって入力される。図５及び図５Ａに示す実施例５０の場合、プログラミングモードはシーン選択アクチュエータ５１ａ及びオフアクチュエータ５１ｅを同時に作動することによって入力される。
【０１１９】
制御ユニット１０は第１の所定の光度レベルをプログラムするプログラミングモードの準備に入る。最上端の指示装置１４（第１の所定の光度レベルがプログラムされつつあることを指示する）はほぼ１０％のデューティサイクルで点滅し、第１の所定の光度レベルとして現在プログラムされた光度レベルに対応する指示装置１４、は９０％のデューティサイクルで点滅する。デューティサイクルとは、一方の指示装置１４がオンであることに対して他方の指示装置１４がオンである時間的相対量を言う。指示装置１４に電力を供給する電源内の制限によって指示装置１４は一時に一方のみが照明される。
【０１２０】
格納される光度のレベルは、図３，３Ａ及び３Ｂに示す改良された遠隔制御３０の実施例の場合、増大電力レベル選択部分３３ａまたは減少電力レベル選択部分３３ｂまたはオフアクチュエータ３１ｂを作動させることによって、また、図４及び図４Ａに示す改良された遠隔制御装置４０の実施例の場合、電力レベル選択アクチュエータ４３を上または下に移動して増大光度選択スイッチ４４３ａまたは減少光度選択スイッチ４４３ｂを作動させるか、またはオフアクチュエータ４１ｅを作動させるかによって、また、図５及び図５Ａに示す改良された遠隔制御装置５０の実施例の場合、電力レベル選択アクチュエータ５３を上または下に移動させて増大光度選択スイッチ５５３ａ及び減少光度選択スイッチ５５３ｂまたはオフアクチュエータ５１ｅを作動させることによって調整される。改良された遠隔制御装置３０，４０，５０のすべての実施例において、格納される光度は、制御ユニット１０の高電力レベル部分１２ａ及び低電力レベル選択部分１２ｂを作動させることによって調整することができる。
【０１２１】
光度が調整されるにつれて、電灯１１４の光度が変化し、９０％のデューティサイクルで照明される指示装置１４の光度も変化して新しい光度レベルを指示する。
【０１２２】
第１の所定の光度レベル（オフである）としてプログラムされた所望の光度レベルに達すると、プログラムされた他の所定の光度を選択するか、またはプログラミングモードを出る。図３，３Ａ及び図３Ｂに示した改良された遠隔制御３０の場合、第１の所定の光度レベルのみがプログラムされ、この時点での選択は、プログラミングモードを出ることのみである。
【０１２３】
他の所定の光度レベルをプログラムすることを望むならば、これは、図４に示した改良された遠隔制御装置の実施例における一時的時間でシーン選択アクチュエータ４１ｂ，４１ｃ，４１ｄを、図５及び図５Ａに示す改良された遠隔制御装置の実施例における一時的時間でシーン選択アクチュエータ５１ｂ，５１ｃ，５１ｄを作動させることによって選択される。
【０１２４】
これらのシーン選択アクチュエータは、それぞれプログラムされる第２、第３及び第４の所定の光度レベルを選択する。第２の所定の光度レベルが選択されると、この二番目に上方の指示装置１４が１０％のデューティサイクルでオンオフし、第３の所定の光度レベルが選択されると、三番目に上方の指示装置１４が１０％のデューティサイクルでオンオフし、第４の所定の光度レベルが選択されると、中間の指示装置１４が１０％のディーティサイクルでオンオフする。
【０１２５】
２つの一時的な時間の間のシーン選択アクチュエータ４１ａ，４１ｂ，４１ｃ，４１ｄ，５１ａ，５１ｂ，５１ｃ，５１ｄにより、第５、第６、第７及び第８の所定の光度レベルの選択をプログラムすることが可能になる。
【０１２６】
最も上方の指示装置、二番目に上方の指示装置、三番目に上方の指示装置及び中間の指示装置は、１０％以外のデューティサイクルでオンオフし、プログラムされる第５、第６、第７または８番目の所定の光度レベルのいずれかが選択されたことを指示する。
【０１２７】
図５及び図５Ａに示した改良された送信器５０の実施例を使って、特殊機能アクチュエータ５１ｆ，５１ｇ，５１ｈ，５１ｉから９番目、１０番目、１１番目、及び１２番目の所定の光度レベルを選択する場合、これらは、特殊機能アクチュエータ５１ｆ，５１ｇ，５１ｈ，５１ｉを作動することによってプログラムするために選択することができる。
【０１２８】
最も上方の、二番目に上方の、三番目に上方の及び中間の指示装置は、１０％以外の第２のデューティサイクルでオンオフし、プログラムされる第９、第１０、第１１または１２番目の所定の光度レベルが選択されたことを指示する。
【０１２９】
第１の所定の光度レベルをプログラミングする格納される光度は上述したと同じ方法で調整される。
【０１３０】
すべての所望の所定の光度レベルがプログラムされると、送信器から制御ユニット１０に赤外線信号を送信しながら、一時的な時間の間、例えば、３秒間にわたってプログラミングモードに入るように使用されたアクチュエータの同じ組み合わせを作動することによってプログラミングモードを出る。期間の終了時、制御ユニットはプログラミングモードを出る。プログラミングモードは、一時的な期間にわたって、制御ユニット１０のアクチュエータを作動することによって出ることができる。
【０１３１】
改良された送信器５０の特殊機能アクチュエータ５１ｆ，５１ｇ，５１ｈ，５１ｉの作動は、赤外線信号を受ける制御ユニット１０にプログラムされる特定の特殊機能に依存する。
【０１３２】
１つの変形例は、上述したような追加的なプログラムされた光度レベルを選択する特殊機能選択アクチュエータを使用する。第１の特殊機能アクチュエータによって選択することができる第１の特殊機能は、“決定されたフェード時間でオフにフェード”である。この機能は次の点を除いて“オフに遅延”と同様である。すなわち、“オフに遅延”の場合、電灯１１４の光度は遅延時間中は現在の光度のままであり、比較的短い時間でゼロに減少するが、“決定されたフェード時間でオフにフェード”の場合、電灯１１４の光度レベルはアクチュエータが解除されると値が減少し始め、光度が“決定されたフェード時間”の終了時にゼロに到達するまで値が減少し続ける。
【０１３３】
“決定されたフェード時間”は、第１の特殊機能のアクチュエータが作動した時間の長さによって決定される。アクチュエータが作動する時間が長ければ長いほど、フェード時間が長くなる。
【０１３４】
第１の特殊機能アクチュエータが作動した後、指示装置１４は最下部のＬＥＤを点滅して、１０秒間フェード時間が選択されたことを指示する。第１の特殊機能アクチュエータが作動する追加的な各０．５秒の場合、フェード時間は１０秒ないし最大６０秒まで増加する。上方の指示装置１４が連続して点滅して、増加したフェード時間が選択されたことを指示する。第１の特殊機能アクチュエータが解除されると、電灯１１４の光度の減少が生じ始め、現在の光度を指示する指示装置１４が点滅する。電灯１１４がゼロ電力のとき指示装置が“夜間照明モード”を指示するまで、電灯１１４の光度が減少するにつれて、下方の指示装置１４が連続的に点滅する。
【０１３５】
第２の特殊機能アクチュエータによって選択することができる第２の特殊機能は“前の光度レベルに戻る”である。この機能により、シーン選択アクチュエータ、制御スイッチアクチュエータ、または電力レベルアクチュエータの最後の作動の前にそれが有していた最後の所定のレベルまで電灯１１４の光度を戻すことができる。
【０１３６】
このように、制御ユニット１０のユーザは、予めプログラムされた所定の光度レベル、ロックされた所定の光度レベルまたは解除された所定の光度レベルである最後に選択された所定のレベルに戻ることが可能である。電灯１１４の光度レベルは、現在の光度レベルから戻ろうとする光度レベルまで次第の増減し、指示装置１４は、最後に選択された所定のレベルの光度レベルを指示する指示装置１４が照明されるまで、現在の光度レベルに対応するＬＥＤの照明から変化し、上方のまたは下方のＬＥＤを連続的に照明する。
【０１３７】
他の特殊機能を制御ユニット１０に選択的にプログラムすることができ、また異なる特殊機能アクチュエータを作動することによってそれを選択することができる。
【０１３８】
別の例として、選択的なアドレススイッチアクチュエータ２２及びアドレススイッチ２２２，３３２，４４２，５５２の作動及び送りアドレススイッチ（図示せず）は、基本的なワイヤレス制御ユニット２０及び改良されたワイヤレス制御ユニット３０，４０，５０の３つの実施例と同様である。
【０１３９】
選択的なアドレススイッチアクチュエータ２２及び送りアドレススイッチの第１の用途は、制御ユニットに特定のアドレスをつけることである。アドレススイッチアクチュエータ２２はアドレススイッチ２２２，３３２，４４２，５５２を制御し、これらのアドレススイッチは、異なるアドレスＡ，Ｂ，Ｃ，Ｄ等の間を選択する通常複数位置のスイッチである。特定制御ユニット１０にアドレスをつけたいと望むならば、アドレススイッチアクチュエータがＢを選択するように調整され、次いで送りアドレススイッチを作動させる。送りアドレススイッチは図示しないが、所望の形を有する。好ましくは、送りアドレススイッチは、小さく目立たないアクチュエータによって作動するものである。なぜならば、それはときどきしか使わないからである。別の例として、送りアドレススイッチのアクチュエータは、例えば、通常使用の場合、ワイヤレス制御ユニット２０，３０，４０，５０のバッテリ室カバーの下に隠すことができる。
【０１４０】
改良されたワイヤレス制御ユニット３０，４０，５０の３つの実施例の場合、送りアドレススイッチの機能は、既存のアクチュエータ、例えば、オフアクチュエータ３１ｂ，４１ｅ，５１ｅと、増大電力レベル選択部分３３ａを組み合わせて作動し、または送信器選択アクチュエータ４３，５３を上方に移動することによって得ることができる。
【０１４１】
送りアドレススイッチが作動したか、またはアクチュエータの適当な組み合わせが作動した後、ワイヤレス制御ユニット２０，３０，４０，５０から赤外線信号が送られる。ワイヤレス制御ユニットはアドレスＢをそれ自身につける信号を受信する制御ユニット１０に命令する。電灯の現在の光度レベルを指示する光度レベル指示装置１４は２Ｈｚの周波数で３度点滅し、アドレスがメモリに受信され格納されたことを指示する。
【０１４２】
別の例として、電灯の現在の光度レベルを指示する光度レベル指示装置１４は、制御スイッチアクチュエータ１３が一時的な時間の間に作動してアドレスをメモリ内に格納するまで２Ｈｚの周波数で点滅する。赤外線信号を受信する制御ユニット１０のアクチュエータ１３が２分以内に作動しない場合、アドレスは格納されず、制御ユニット１０は赤外線信号を受信する前の状態に戻る。
【０１４３】
このように、同じか異なるアドレスを複数の制御ユニット１０につけることが可能である。
【０１４４】
ワイヤレス制御ユニット２０，３０，４０，５０によって制御されることを望むすべての制御ユニット１０にアドレスをつけた場合、ワイヤレス制御ユニット２０，３０，４０，５０は、次の方法で特別のアドレスがついた制御ユニットのみを制御するように使用することができる。
【０１４５】
アドレススイッチアクチュエータ２２は、制御が望まれる制御ユニット１０のアドレス、例えばＡを選択する位置に調整される。これが行われた後、他のアクチュエータ、例えば、シーン選択作動３１，４１，５１または送信器選択アクチュエータ３３，４３，５３に応答してワイヤレス制御ユニットから送られる信号にはアドレス情報Ａが含まれる。
【０１４６】
前にアドレスＡのラベルのついたこれらの制御ユニット１０は、アドレス情報Ａを含む赤外線信号に応答する。他の制御ユニット１０は応答しない。このように、複数の制御ユニット１０に異なるアドレスをつけることによって、すべてのユニットが赤外線信号を受信する場合でも、各制御ユニット１０を個々に制御することができる。
【０１４７】
またアドレススイッチアクチュエータ２２はすべてのアドレスを選択することが可能である。これは制御ユニット１０にラベルをつけるためには使用することができない。しかしながら、制御ユニット１０に個々のアドレスＡ，Ｂ，Ｃ等でラベルがつけられると、アドレススイッチアクチュエータ２２ですべてのアドレスを選択することによって、ワイヤレス制御ユニット２０，３０，４０，５０から送信された赤外線信号がすべてのアドレスを含むことができる。この場合、すべてのアドレスを備えた赤外線信号を受信するすべての制御ユニット１０は、付いている個々のアドレスとは無関係に応答する。
【０１４８】
図１０を参照すると、電力制御ユニット１０の回路が制御ユニットブロック図の１００に示されている。遠隔制御動作を除いて、この回路は当業者によく知られており、参考としてここに組み込まれている米国特許第５，２４８，９１９号に完全に説明されている。したがって、従来技術の回路の詳細な説明はここでは行われず、本発明の新しい特徴のみ説明する。
【０１４９】
本発明の好ましい実施例は、米国特許第５，２４８，９１９号に開示された照明制御と組み合わせて以下に説明するようなワイヤレス遠隔制御動作の特徴を提供する。本発明の好ましい実施例において、電力制御ユニット１０の回路は、電力制御ユニット１０に配置されたアクチュエータによって命令されることに加えて、ワイヤレス遠隔制御ユニット２０，３０，４０，５０（図２，３，４及び５に示す）によって送信される赤外線制御信号によって命令される。赤外線受信器１０４は赤外線制御信号に応答し、信号をマイクロプロセッサ１０８への電気制御信号入力に変換する。同様な方法で、信号検出器１０２は電力制御ユニット１０に配置されたスイッチ１１０からの制御信号並びにワイヤー式遠隔照明制御ユニット内のスイッチ１１１からの制御信号に応答して、米国特許第５，２４８，９１９号に開示された制御信号、信号検出器３２及びマイクロプロセッサ２８と同様の、本発明のマイクロプロセッサ１０８への制御信号入力を提供する。しかしながら、プログラムの作動は異なり、米国特許第５，２４８，９１９号には開示されていない追加の機能及び特徴を提供する。
【０１５０】
本発明において、制御信号入力は電力制御ユニット１０のスイッチアクチュエータによって発生し、ユーザが作動可能なワイヤレス遠隔制御ユニット２０，３０，４０，５０またはワイヤー式照明制御ユニットのスイッチアクチュエータによって発生する。各場合において、これらの信号は処理のためにマイクロプロセッサ１０８に送られる。つぎにマイクロプロセッサ１０８は制御回路の他の部分に適当な信号を送り、この制御回路は制御ユニット１０に関連した光度レベル及び電灯１１４の状態を制御する。
【０１５１】
基本的な遠隔制御ユニット２０の制御回路２００のブロック図は図１１に示されている。光度選択アクチュエータ２３は光度選択スイッチ２２３ａまたは２２３ｂを作動させ、制御スイッチアクチュエータ２１は送信器制御スイッチ２２１を作動させ入力をマイクロプロセッサ２７に送る。マイクロプロセッサ２７はエンコードされた制御信号をＬＥＤ駆動回路２８に送り、この駆動回路はＬＥＤを駆動し、マイクロプロセッサ２７によってエンコードされた赤外線信号を生成し送信する。このＬＥＤ２６はＩＲ送信器の開口部２５に配置され、ユーザが作動可能な基本的な遠隔制御ユニット２０の端壁２４に埋設されている。
【０１５２】
アドレススイッチアクチュエータ２２はアドレススイッチ２２２を作動させ、マイクロプロセッサ２７に入力を提供する。図１１には“アドレスを送る”スイッチは、図示しないが、上述したようにマイクロプロセッサ２７に入力を提供する。
【０１５３】
バッテリ４９は基本的な遠隔制御ユニット２０に電力を送る。
【０１５４】
マイクロプロセッサ２７は、その作動を制御する予めプログラムされたソフトウエアルーチンを有する。マイクロプロセッサ２７内のルーチンの作動は図６のフローチャートに示されている。ここには、１つの大きなフロー経路、すなわち、ルーチンがあり、これにはマイクロプロセッサ２７のプログラムが従う。この経路は決定ステップ２０００の“一個又は複数のアクチュエータが作動か”が“ｙｅｓ”であればいつでも選択される。これは、制御スイッチアクチュエータ２１または電力レベル選択アクチュエータ２３が作動するときはいつでも生じる。決定ステップの“一個又は複数のアクチュエータが作動か”の次に、ステップ２００４の“どのアクチュエータが作動したかを決定”が続き、ここでどのアクチュエータが作動したかについての決定が行われる。ステップ２００４の“どのアクチュエータが作動したかを決定する”の次にステップ２００６の“アドレスを決定”が続く。ここでマイクロプロセッサ２７はアドレススイッチ２２２の設定を決定する。つぎにマイクロプロセッサ２７はステップ２００８の“作動したアクチュエータ及び選択されたアドレスに対応する数をルックアップする”に進む。次いでマイクロプロセッサはステップ２０１０の“数をエンコードする”に進み、ステップ２０１２の“コードを伝達する”に進む。
【０１５５】
制御スイッチアクチュエータ２１または電力レベル選択アクチュエータ２３がユーザによって作動されない場合、遠隔制御ユニット２０はステップ２００２の“スリープモード”に入り、制御ユニット１０の状態には変化は生じない。
【０１５６】
改良されたワイヤレス遠隔制御ユニット３０，４０，５０の制御回路の各々のブロック図は図１２Ａ，１２Ｂ，１２Ｃに示されている。これらのブロック図は図１１に示すブロック図と同様であり、ブロック図３００のシーン制御スイッチ３３１ａ，３３１ｂがブロック図２００の送信器制御スイッチ２２１と置換されている。ブロック図４００のシーン制御スイッチ４４１ａ，４４１ｂ，４４１ｃ，４４１ｄ，４４１ｅがブロック図２００の送信器制御スイッチ２２１と置換されている。ブロック図５００のシーン制御スイッチ５５１ａ，５５１ｂ，５５１ｃ，５５１ｄ，５５１ｅ及び特殊機能スイッチ５５１ｆ，５５１ｇ，５５１ｈ，５５１ｉがブロック図２００の送信器制御スイッチ２２１と置換されている。
【０１５７】
シーン制御スイッチは入力をマイクロプロセッサ４７に提供する。マイクロプロセッサ４７はエンコードされた制御信号をＬＥＤ駆動回路４８に提供する。この回路４８はＬＥＤ３６，４６，５６を駆動して、マイクロプロセッサ４７によってエンコードされた赤外線信号を発生し送信する。これらの信号は改良されたワイヤレス遠隔制御ユニット３０，４０，５０の端壁３４，４４，５４に設けたＩＲ開口３５，４５，５５を介して送信される。
【０１５８】
改良された遠隔制御ユニット３０，４０，５０のアドレススイッチアクチュエータ２２はアドレススイッチ３３２，４４２，５５２を作動させて、マイクロプロセッサに入力を提供する。図１２Ａ，１２Ｂ及び１２Ｃに示さない送りアドレススイッチはマイクロプロセッサ４７に入力を提供する。
【０１５９】
改良された遠隔制御ユニット３０，４０，５０は、図６に示すように、それらの作動を制御するため同じ予めプログラムされたソフトウエアルーチンを使用する。実際のコードの作動は異なる。シーン制御スイッチまたは電力レベル選択スイッチが作動するときはいつでも、図６の決定ステップ２０００の“一個または複数のアクチュエータが作動か”は、“ｙｅｓ”である。
【０１６０】
図１３ないし２０を参照すると、制御ユニット１０のマイクロプロセッサ１０８はその作動を制御する予め制御されたソフトウエアルーチンを有する。マイクロプロセッサ１０８のルーチンの作動は図１３ないし図２０のフローチャートに示されている。図１３を参照すると、マイクロプロセッサ１０８が従うことができる４つの主なフロー経路、すなわち、ルーチンがある。これらの経路は入力制御信号源によって選択される。第１の３つの経路、すなわち、ステップ１０３０の“上昇”、ステップ１０２４の“下降”、及びステップ１０３６の“トグル”は、上述したように電力選択アクチュエータ１２または制御スイッチアクチュエータ１３が作動するとき選択される。
【０１６１】
ワイヤレス遠隔制御によって作動の予めプログラムされたソフトウエアルーチンの機能を詳細に説明する。これはステップ１０１２の第４の経路の“ＩＲ信号”である。
【０１６２】
図１３を参照すると、プログラムは図示するようにステップ１０００の“メイン”で始まる。第１の決定ステップ１００２は“ＩＲプログラムモードか”である。プログラムは、予めプログラムされた光度を格納することができるように制御ユニット１０がプログラムモードにあるかどうかを決定する。決定ステップ１００２の“ＩＲプログラムモードか”からの出力が“ｙｅｓ”である場合、次の決定ステップはステップ１００４の“最後の２分間以内にアクチュエータまたはＩＲ信号を受信したか”である。決定ステップ１００４はプログラムモードの間ユーザが迷っているかどうかを決定するタイムアウト機能を実行する。ユーザが２分以内に制御ユニットのアクチュエータに接触しない場合、ユニットはプログラムモードから自動的に出て、点滅している指示装置１４を停止させる。決定ステップ１００４からの出力が“ｎｏ”である場合、制御ユニットはステップ１０２６の“プログラムモードを出る”及びステップ１０２８の“ＬＥＤの点滅を停止”の命令を受け、プログラムはステップ１０００の“メイン”に戻る。決定ステップ１００４からの出力が“ｙｅｓ”である場合、プログラムは決定ステップ１００６の“一個のアクチュエータが作動か”に進む。アクチュエータが制御ユニット１０で作動したかどうか、すなわち、電力レベル選択アクチュエータ１２または制御スイッチアクチュエータ１３が作動したかどうかについてチェックされる。
【０１６３】
決定ステップ１００６の“一個のアクチュエータが作動か”がｙｅｓ”なら、プログラムは決定ステップ１０１８の“ＩＲプログラムモードか”へ進み、ここで制御ユニット１０が再びプログラムモードにあるかどうかについてチェックされる。決定ステップ１０１８の“ＩＲプログラムモードか”の出力が“ｙｅｓ”である場合、プログラムはステップ１０２０の“ＩＲプログラムモードルーチンに行く”に進む。これは、図１４に示すＩＲプログラムモードルーチン１１００に更に詳細に示される。
【０１６４】
決定ステップ１０１８からの出力が“ｎｏ”である場合、プログラムは決定ステップ１０３０の“上昇か”に進み、ここで高電力レベル選択部分１２ａが作動したかどうかについてチェックが行われる。決定ステップ“上昇か”からの出力が“ｙｅｓ”である場合、プログラムはステップ１０３２の“上昇ルーチンに行く”に進む。この“上昇”ルーチン１４００は図１６に更に詳細に示されている。
【０１６５】
決定ステップ１０３０の“上昇か”の出力が“ｎｏ”である場合、プログラムはステップ１０２２の“下降か”に進み、ここで低電力レベル選択部分１２ｂが作動したかどうかについてチェックが行われる。決定ステップ１０２２の“下降か”からの出力が“ｙｅｓ”である場合、プログラムはステップ１０２４の“下降ルーチンに行く”に進む。この“下降”ルーチン１２００は図１５に更に詳細に示されている。
【０１６６】
決定ステップ１０２２の“下降か”からの出力が“ｎｏ”である場合、プログラムは“トグルか”に進み、ここで制御スイッチアクチュエータ１３が作動したかどうかについてチェックがなされる。決定ステップ１０３４の“トグルか”からの出力が“ｙｅｓ”である場合、プログラムはステップ１０３６の“トグルルーチンに進む”に進む。このトグルルーチン１３００は図１７に更に詳細に示されている。ステップ１０３４の“トグルか”の出力が“ｎｏ”である場合、プログラムはステップ１０００の“メイン”に戻る。
【０１６７】
決定ステップ１００６の“一個のアクチュエータが作動したか”の出力が“ｎｏ”である場合、プログラムは決定ステップ１００８の“最後の２分間にアクチュエータが作動したか”に進む。決定ステップ１００８は、制御アクチュエータが最後の２分間に作動したかどうかを決定するタイムアウトチェックを実行する。決定ステップ１００８からの出力が“ｙｅｓ”である場合、プログラムは決定ステップ１０１０の“ＩＲ信号か”に進み、ここでＩＲ信号が受信されたかどうかについて決定がなされる。決定ステップ１０１０の“ＩＲ信号か”の出力が“ｙｅｓ”である場合、プログラムはステップ１０１２の“ＩＲ信号ルーチンに行く”に進む。ステップ１５００の“ＩＲ信号ルーチンか”が図１８，１９，２０に更に詳細に示されている。決定ステップ１０１０の“ＩＲ信号か”の出力が“ｎｏ”であれば、プログラムは“ＬＥＤを更新”に進み、ここで光度指示装置１４の状態が更新され、プログラムはステップ１０００の“メイン”に戻る。制御ユニット１０は、たとえアクチュエータが作動せずとも、またはＩＲ信号が受信されなくても、ＬＥＤディスプレィを常に更新し続ける。決定ステップ１００８の“最後の２分間にアクチュエータが作動したか”が“ｎｏ”である場合、プログラムはステップ１０１６の“学習アドレスモードをリセット”に進み、決定ステップ１０１０の“ＩＲ信号か”に進む。
【０１６８】
プログラムが、後に更に詳細に説明する“学習アドレスモードか”及びステップ１５８０の“新しいアドレスを格納”に進んだ後、プログラムは確認信号を探す。制御装置が２分以内に確認信号を受け取らない場合、“学習アドレスモードか”はリセットされ、受信された新しいアドレスが消去される。
【０１６９】
図１４を参照すると、“ＩＲプログラムモードか”の最初に出合う決定ステップがステップ１１０２の“トグルか”である。ＩＲプログラムモードは、制御ユニット１０または改良されたワイヤレス送信器３０，４０，５０にアクチュエータを作動させることによって、所定の光度レベルを制御ユニット１０に格納させることができるモードである。決定ステップ１１０２の“トグルか”において、制御スイッチアクチュエータ１３が作動したかどうかについて決定がなされる。ステップの出力が“ｙｅｓ”である場合、制御ユニット１０はステップ１１０４の“ＬＥＤの点滅の停止”の命令を受け、ここで点滅指示装置１４が消滅する。プログラムはステップ１１０６の“プログラムモードを出る”及びステップ１１０８の“ＬＥＤを更新”に進み、ここで指示装置１４が正しい状態に更新され、プログラムはステップ１１１０の“メインの上部に戻る”に進む。これはプログラムモードを出る１つの方法である。他の方法は以下に詳細に説明する。
【０１７０】
決定ステップ１１０２の“トグルか”の出力が“ｎｏ”である場合、ステップ１１１２は“上昇か”であり、ここで、高電力レベル選択部分１２ａが作動したかどうかに関して決定がなされる。ステップの出力が“ｙｅｓ”である場合、プログラムは決定ステップ１１１４の“上端か”に移る。決定ステップ１１１４の“上端か”の出力が“ｙｅｓ”である場合、電灯１１４の光強度はそれ以上増大せず、何ら変化せず、プログラムはステップ１１１０の“メインの上部に進む。決定ステップ１１１４の“上端か”の出力が“ｎｏ”である場合、制御ユニット１０はステップ１１１６の“１ステップだけ光度レベルを増大”の命令を受け、ここで制御ユニット１０の出力電力が増大する。プログラムはステップ１１１８の“シーンを決定”に続き、ここでプログラムはどのシーンがプログラムされているかをチェックする。
【０１７１】
決定ステップ１１２０の“最後の０．５秒に同じアクチュエータが作動したか”に進むが、この決定ステップ機能はアクチュエータを複数回作動させることによって追加的な機能にアクセスすることができるようになっている。決定ステップ１１２０の出力が“ｎｏ”である場合、ユニットは、ステップ１１３０の“シーンプリセットとして光度レベルを格納”の命令を受け、ここでプログラムされているシーン選択アクチュエータの新しい強度レベルが格納される。
【０１７２】
そしてプログラムはステップ１１００の“メインの上部へ戻る”へ進む。プログラムは、決定ステップ１１２０の“最後の０．５秒間に同じアクチュエータが作動したか”の出力が“ｙｅｓ”である場合、すなわち、アクチュエータの複数回の作動がある時間内に生じる場合、ユニットはステップ１１２２の“シーンナンバーに４を加える”及びステップ１１３０の“シーンプリセットとしての光度レベルを格納”の命令を受け、プログラムはステップ１０００の“メインの上部に戻る”に進む。
【０１７３】
決定ステップ１１０２の“トグルか”の出力が“ｎｏ”であり、決定ステップ１１１２の“上昇か”の出力が“ｎｏ”である場合、プログラムは次の大きなルーチンに移り、決定ステップ１１２４の“下降か”に入る。低電力レベル選択部分１２ｂが作動したかどうかに関して決定がなされる。決定ステップ１１２４からの出力が“ｎｏ”である場合、変化は生じず、プログラムはステップ１１１０の“メインの上部に戻る”に進む。
【０１７４】
決定ステップ１１２４の出力が“ｙｅｓ”である場合、プログラムは決定ステップ１１２６の“下端またはオフか”に進む。電灯１１４が最小限の光度かまたはオフかに関して決定がなされる。決定ステップ１１２０からの出力が“ｙｅｓ”である場合、光度は更に減少することはできず、変化も生じず、プログラムはステップ１１１０の“メインの上部に戻る”に進む。決定ステップ１１２６からの出力が“ｎｏ”である場合、制御ユニット１０はステップ１１２８の“１ステップだけ光度レベルを減少”の命令を受け、ここで制御ユニット１０の出力電力が減少し、つぎにステップ１１１８の“シーンを決定”に進み、ここで、ふたたびユニットがどのシーンがプログラムされているかをチェックする。
【０１７５】
プログラムは、決定ステップ１１２０の“最後の０．５秒に同じアクチュエータが作動したか”に進む。決定ステップ１１２０からの出力が“ｎｏ”である場合、ユニットはステップ１１３０の“シーンプリセットとして光度レベルを格納”の命令を受け、ここでプログラムされているシーン選択アクチュエータの新しい光度を格納する。プログラムはステップ１１１０の“メインの上部に戻る”に進む。決定ステップ１１２０の“最後の０．５秒間で同じアクチュエータが作動したか”の出力が“ｙｅｓ”である場合、ユニットはステップ１１２２の“シーンナンバーに４を加える”及びステップ１１３０の“シーンプリセットとして光度レベルを格納”の命令を受け、プログラムは“メインの上部に戻る”に進む。
【０１７６】
図１５及びルーチン１２００の“下降か”を参照すると、第１の決定ステップは“ユニットがオンか”であり、ここで制御ユニット１０が“オン状態”にあるかどうかに関して決定がなされる。決定ステップ１２０２の“ユニットがオンか”からの出力が“ｙｅｓ”である場合、プログラムは決定ステップ１２０４の“下端か”に進み、ここで、電灯１１４が最小限の光度かどうかについての決定がなされる。決定ステップ１２０４からの出力が“ｙｅｓ”である場合、光度はそれ以上は減少することはできず、変化も生じず、プログラムはステップ１２０６の“メインの上部に戻る”に進む。“下端か”の出力が“ｎｏ”である場合、プログラムは決定ステップ１２２２の“フェーディングか”に進む。制御ユニット１０が安定状態にあるかどうか、または２つの異なる出力光度レベル間でフェーディングしているかどうかについての決定がなされる。決定ステップ１２２２からの出力が“ｙｅｓ”である場合、制御ユニット１０が２つの異なる光度レベル間でフェーディングしており、従って制御ユニット１０はステップ１２２４の“フェーディングを停止”及びステップ１２１２の“光度を１ステップ減少”の命令を受け、制御ユニット１０の出力電力が減少する。次いで決定ステップは、ステップ１２１４の“ＩＲ命令だったか”である。
【０１７７】
決定ステップ１２２２の“フェーディングか”の出力が“ｎｏ”である場合、制御ユニット１０からの電力出力は安定状態にあり、制御ユニット１０はステップ１２１２の“１ステップだけ光度レベルを減少”の命令を受け、制御ユニット１０の出力電力は減少する。プログラムは決定ステップ１２１４の“ＩＲ命令か”に進み、ここで、プログラムをステップ１２００の“下降”に入れた赤外線信号が受信したかどうかに関する決定が行われる。
【０１７８】
決定ステップ１２１４の“ＩＲ命令だったか”からの出力が“ｙｅｓ”である場合、プログラムはステップ１２１６の“ＬＥＤを更新”に進み、次いでステップ１２０６の“メインの上部に戻る”に進む。格納された所定のレベルへの変化は起こらない。なぜならば、制御ユニット１０がプログラムモードにない限り、ワイヤレス送信器からの下降命令は現在の光度のみに作用するからである。更に、以下に詳細に説明するように、制御ユニット１０のユーザが作動可能な光度選択アクチュエータを使用することによって調整される光度レベルは、ロックされた所定のモードが設定されている場合一時的であり、ロックされた所定のモードが設定されていなければ格納される。
【０１７９】
決定ステップ１２１４の“ＩＲ命令だったか”の出力が“ｎｏ”である場合、決定ステップ１２０８の“ロックされたプリセットモード設定か”に進み、ここで所定の光度が格納されたかどうかについて決定がなされる。決定ステップ１２０８からの出力が“ｎｏ”であり、ロックされた所定が格納されなかった場合、ユニットはステップ１２１０の“プリセットを更新”の命令を受け、ここで、解除された所定の現在の値を格納するメモリがそれに格納される新しい光度レベルを有する。プログラムはステップ１２１２の“ＬＥＤを更新”に進み、ここで光度指示装置の状態が更新され、プログラムはステップ１２０６の“メインの上部に戻る”に進む。決定ステップ１２０８の“ロックされたプリセットモードを設定か”の出力が“ｙｅｓ”である場合、ユニットはステップ１２１６の“ＬＥＤを更新”の命令を受け、次いでステップ１２０６の“メインの上部に戻る”に行く。格納された所定の光度レベルには変化は生じない。
【０１８０】
決定ステップ１２０２の“ユニットがオンか”の出力が“ｎｏ”である場合、ユニットは決定ステップ１２２１の“遅延プログラムモードか”に進む。制御ユニットをオフにするアクチュエータをユーザが作動する度に、ユニットがオフする前にある量の時間を遅らせるように遅延時間を永久に格納することができる。制御ユニット１０がオフまでの遅延時間がプログラムされているモードにある場合、決定ステップ１２２１からの出力は“ｙｅｓ”であり、プログラムは決定ステップ１２２６の“１０秒間下降アクチュエータが保持されたか”に進む。
【０１８１】
永久的に格納されたオフまでの遅延時間はアクチュエータを作動させることによって消去することができる。このアクチュエータは、延長時間、すなわち、１０秒にわたってステップ１２００の“下降”命令を行う。決定ステップ１２２６からの出力が“ｙｅｓ”である場合、ユニットはステップ１２２８の“遅延時間をキャンセル”の命令を受け、プログラムはステップ１２０６の“メインの上部に戻る”に進む。決定ステップ１２２６の“下降アクチュエータが１０秒間にわたって保持されたか”からの出力が“ｎｏ”である場合、プログラムはステップ１２３０の“下降アクチュエータがどの程度保持されたかを決定する”に進み、ここでステップ１２００の“下降”命令アクチュエータがどれぐらい作動したかに関して決定がなされる。プログラムはステップ１２３２の“保持時間に対応する時間まで遅延設定”に続き、ここで適当な遅延時間が格納される。プログラムはステップ１２３４の“ＬＥＤを点滅”に続き、ここで指示装置は上述したように点滅する。プログラムはステップ１２０６の“メインの上部に戻る”に進む。ユーザが“下降”命令アクチュエータを長く押せば長く押す程、格納される遅延時間は長くなる。
【０１８２】
決定ステップ１２２１の“遅延プログラムモードか”からの出力が“ｎｏ”である場合、ユニットは決定ステップ１２１８の“４．０秒間下降が保持されたか”に進む。遅延時間を永久に格納するために、ユーザはアクチュエータを作動する。このアクチュエータは所定の延長時間、すなわち、４秒間“下降”の命令を発する。決定ステップ１２１８が“ｎｏ”である場合、プログラムはステップ１２０６の“メインの上部に戻る”に進む。
【０１８３】
決定ステップからの出力が“ｙｅｓ”である場合、制御ユニット１０はステップ１２２０の“遅延プログラムモードを開始”の命令を受け、上述したように最下方の指示装置１４を点滅させ、つぎにステップ１２３４の“ＬＥＤを点滅する”に進む。次いでプログラムはステップ１２０６の“メインの上部に戻る”に進む。
【０１８４】
図１６を参照する。“上昇”ルーチン１４００において、第１の決定ステップは決定ステップ１４０２の“ユニットオンか”である。ここで、制御ユニット１０がオン状態にあるかどうかについて決定がなされる。決定ステップ１４０２の“ユニットオンか”からの出力が“ｙｅｓ”である場合、すなわち、制御ユニット１０がプログラム上で決定ステップ１４０４の“上端か”に移動し、ここで電灯１１４が最大限の光度であるかどうかに関して決定がなされる。
【０１８５】
決定ステップ１４０４からの出力が“ｙｅｓ”である場合、光度は更に増大することはできず、変化も起こらず、プログラムはステップ１４２０の“メインの上部に戻る”に進む。決定ステップ１４０４からの出力が“ｎｏ”である場合、ルーチンはステップ１４０６の“フェーディングか”に進み、ここで制御ユニット１０が安定状態にあるかどうか、または２つの異なる出力光度レベルの間でフェーディングしているかどうかに関して決定が行われる。決定ステップ１４０６からの出力がｙｅｓである場合、制御ユニット１０が２つの異なる光度レベルの間でフェーディングしており、従って制御ユニット１０がステップ１４０８の“フェーディングの停止”の命令を受ける。次いで“１ステップだけ光度レベルを増大”の命令を受け、ここで制御ユニット１０の出力電力が増大する。決定ステップ１４０６の“フェーデングか”からの出力が“ｎｏ”である場合、ユニットはステップ１４１０の“１ステップだけ光度レベルを増大”の命令を受け、ここで制御ユニット１０の出力電力が増大する。プログラムは決定ステップ１４１２の“ＩＲ命令であったか”に進み、ここでプログラムを上昇ルーチン１４００に入るようにした赤外線信号を受信したかどうかについて決定が行われる。決定ステップ１４１２からの出力が“ｙｅｓ”である場合、制御ユニット１０はステップ１４１８の“ＬＥＤを更新”まで進み、次いでプログラムはステップ１４２０の“メインの上部に戻る”まで進む。格納された所定のレベルに変化は生じない。なぜならば、ワイヤレス送信器からのステップ１４００の上昇ルーチンは、制御ユニット１０がプログラムモードにある限り、現在の光度レベルにのみ影響を与えるからである。ステップ１４１２の“ＩＲ命令であったか”からの出力が“ｎｏ”である場合、プログラムは決定ステップ１４１４の“ロックされたプリセットモードを設定か”に進み、ここでロックされた所定の光度レベルを格納したかどうかについて決定がなされる。決定ステップ１４１４からの出力が“ｙｅｓ”である場合、制御ユニット１０はステップ１４１８の“ＬＥＤの更新”まで進み、ここで光度指示装置１４の状態が更新され、次いでプログラムをステップ１４２０の“メインの上部に戻る”に進む。決定ステップ１４１４からの出力が“ｎｏ”である場合、このユニットは決定ステップ１４１６の“プリセットを更新”の命令を受け、ここでロックされない所定の現在の値を格納する（図示しない）メモリがメモリ内に格納された新しい光度レベルを有し、ステップ１４１８の“ＬＥＤを更新”に行く。決定ステップ１４０２の“ユニットがオンか”からの出力が“ｎｏ”である場合、制御ユニット１０はステップ１４２２の“下端にターンオン”の命令を受け、ここで制御ユニット１０がオンする。そこでプログラムはステップ１４１０の“１ステップだけ光度レベルを増大する”に行き、次いでステップ１４１２の“ＩＲ命令であったか”に行く。
【０１８６】
図１７及び“トグル”ルーチン１３００を参照すると、最初の決定ステップはステップ１３０２の“学習アドレスモードか”であり、ここで制御ユニット１０が新しいアドレス付いているモードにあるかどうかに関して決定がなされる。制御ユニット１０が新しいアドレスが付けられているという決定がマイクロプロセッサ１０８によってなされた場合、決定ステップ１３０２からの出力は“ｙｅｓ”である。マイクロプロセッサは、制御ユニット１０に命令するステップ１３０４の“信号認識としての新しいアドレスを使用”に進み、その単位アドレスとして受けた新しいアドレスを格納する。次いでステップ１３０６の“メインの上部に戻る”に進む。上述したように、制御ユニット１０はＩＲ信号を介して独特のアドレスを受けることができる。これにより、アドレス選択スイッチを有する送信器の使用が可能になり、複数の制御ユニット１０が個々に制御される。決定ステップ１３０２の“学習アドレスモードか”の出力が“ｎｏ”である場合、プログラムは決定ステップ１３３０の“最後のトグルか”に進み、ここで制御スイッチアクチュエータ１３が一時的な時間以上の間作動しているかどうかに関して決定する。決定ステップ１３３０からの出力が“ｙｅｓ”である場合、プログラムは決定ステップ１３３２の“フェーディングアウトか”に進み、ここで制御ユニット１０の出力時の電力レベルが減少しているかどうかに関しての決定が行われる。決定ステップ１３３２の出力が、“ｙｅｓ”でり、電力出力が減少している場合、プログラムは決定ステップ１３３４の“１／２秒間トグルが保持されたか”に進み、ここで１／２秒の間以上制御スイッチアクチュエータ１３が作動したどうか、そうならば、どのくらい長く作動したかどうかに関して決定がなされる。ステップの出力が“ｙｅｓ”である場合、制御ユニット１０はステップ１３３６の“決定された遅延時間でオフに遅延”の命令を受け、ここで制御ユニット１０は制御スイッチアクチュエータ１３が作動した時間の長さに対応する遅延時間の期間現在の電力レベルを出力し、次いで出力電力レベルを減少し、したがって電灯１１４の光度をゼロまで減少する。プログラムはステップ１３３８の“ＬＥＤを更新”に進み、ここで現在の光度レベルを指示する指示装置１４が遅延時間の間点滅し、次いで、制御ユニット１０からの出力電力レベルが減少するにつれて、下方の指示装置が連続的に照明される。次いでプログラムはステップ１３０６の“メインの上部に戻る”に進む。
【０１８７】
決定ステップ１３３０の“最後のトグルか”からの出力が“ｎｏ”であり、制御スイッチアクチュエータ１３が一時的な時間以上にわたって作動しない場合、プログラムは決定ステップ１３１８の“最後の０．５秒でトグルがタップしたか”に進む。ここで、制御スイッチアクチュエータ１３が最後の０．５秒に一時的な方法で前のように作動されたかどうかに関して決定がなされる。決定ステップ１３１８からの出力が“ｙｅｓ”である場合、プログラムは決定ステップ１３２０の“１．０秒の第３のタップか”に進む。ここでこれが１．０秒における一時的な期間の第３の作動であるかどうかに関して決定がなされる。決定ステップ１３２０からの出力が“ｙｅｓ”である場合、制御ユニット１０はステップ１３２２の“ロックされたプリセットとして現在の光度レベルを格納”の命令を受け、ここで現在の光度レベルが“ロックされプリセットされた光度レベルとしてメモリ内に格納される。プログラムはステップ１３２４の“現在の光度レベルに維持”に続き、現在の光度レベルは変化せず、プログラムはステップ１３２６の“ＬＥＤを２回点滅”に進む。現在の光度レベルを指示する指示装置１４は２Ｈｚの周波数で２度点滅し、現在の光度レベルが格納されたことを指示する。プログラムはステップ１３２８の“ロックされたプリセットモードを設定”に進み、ここでマイクロプロセッサ１０８はロックされた所定のモードにあることを反映するよう更新される。このプログラムはステップ１３３８の“ＬＥＤを更新”に進み、ここで現在の光度レベルを示す指示装置１４が照明される。
【０１８８】
決定ステップ１３２０の“１．０秒の第３のタップか”からの出力が“ｎｏ”である場合、プログラムは決定ステップ１３４０の“１．５秒の第４のタップか”に進み、ここでこれが１．５秒の間での一時的な期間の第４の作動であるかどうかに関しての決定が行われる。決定ステップ１３４０からの出力が“ｎｏ”である場合、出力は一時的な期間の第２の作動でなければならず、制御ユニット１０はステップ１３４６の“高速フェードで完全にフェード”まで進む。電灯１１４の光度は最大限の光度まで迅速に増大し、プログラムはステップ１３３８の“ＬＥＤを更新”に進み、ここでより上方の指示装置が電灯１１４の光度が増大するにつれて連続的に照明される。
【０１８９】
決定ステップ１３４０からの出力が“ｙｅｓ”である場合、これは１．５秒の期間における第４の作動である。プログラムはステップ１３４２の“ロックされたプリセットの中断”に進み、ここでマイクロプロセッサ１０８は更新され、ロックされた所定のモードから制御ユニット１０を除去する。プログラムはステップ１３４４の“ＬＥＤを二度点滅させる”に進み、ここで現在の光度レベルを指示する指示装置が２Ｈｚの周波数で二度点滅し、次いで１３３８の“ＬＥＤを更新”に進み、現在の光度レベルを指示する指示装置１４が照明される。
【０１９０】
決定ステップ１３１８の“最後の１／２秒でトグルがタップか”からの出力が“ｎｏ”である場合、プログラムはステップ１３０８の“ユニットオンまたはフェーディングアップか”に進み、ここで、制御ユニット１０がオン状態にあるかどうか、または２つの光度レベルの間でフェーディングしているかどうかに関して決定がなされる。決定ステップ１３０８からの出力が“ｙｅｓ”である場合、決定ステップ１３１０の“遅延されたモードセット設定か”に進む。決定ステップ１３１０からの出力が“ｙｅｓ”であり、オフまでの所定遅延時間が格納された場合（図１５の遅延ルーチン１２３２の設定の説明を参照）、制御ユニット１０はステップ１３１２の“プログラムされた時間でオフに遅延”の命令を受ける。電灯１１４はオフまでの格納された遅延期間の間現在の光度レベルに留まり、次いで電灯１１４の光度がゼロに減少する。プログラムはステップ１３０６の“メインの上部に戻る”に進む。決定ステップ１３１０の“遅延モードが設定か”からの出力が“ｎｏ“である場合、制御ユニットはステップ１３１４の“オフにフェード”の命令を受け、電灯１１４の光度はゼロに低減する。次いで、ステップ１３３８の“ＬＥＤを更新する”に進み、電灯１１４の光度が減少するにつれて、下降指示装置が連続的に照明される。
【０１９１】
決定ステップ１３０８の“ユニットオンまたはフェーディングアップか”の出力が“ｎｏ”である場合、制御ユニット１０はステップ１３１６の“プリセットにフェード”の命令を受け、ここで電灯１１４の光度が所定のレベルまで増大する。この所定のレベルはロックされた所定のレベルであるか、制御ユニット１０がオン状態にあったときの最後の所定のレベルである。プログラムはステップ１３３８の“ＬＥＤを更新する”に進み、ここで上方指示装置１４が電灯１１４の光度が増大するにつれて連続的に照明される。
【０１９２】
決定ステップ１３３２の“フェーディングオフか”からの出力が“ｎｏ”である場合、プログラムはステップ１３３８の“ＬＥＤを更新”に進み、ここで指示装置１４の状態が更新される。決定ステップ１３３４の“１／２秒の間トグルを保持か”の出力が“ｎｏ”である場合、プログラムは“ステップ１３３８の“ＬＥＤを更新”に進み、指示装置１４の状態が更新される。
【０１９３】
図１８，１９及び２０及び“ＩＲ信号”ルーチン１５００を参照すると、決定ステップ１５５０の“正しい信号アドレスか”でスタートし、制御ユニット１０は、ＩＲ信号アドレスがユニットアドレスに合致するかどうかを見るための第１のチェックによって受信されたＩＲ信号に応答すべきかどうかを決定する。アドレスが合致しない場合、制御ユニット１０はＩＲ信号を無視する。決定ステップ１５５０からの出力が“ｎｏ”である場合、プログラムはステップ１５６４の“メインの上部に戻る”に進む。
【０１９４】
決定ステップ１５５０からの出力が“ｙｅｓ”である場合、プログラムは決定ステップ１５５２の“ＩＲプログラムモードに”に進み、ここで制御ユニット１０がＩＲプログラムモードにあるかどうかに関して決定がなされる。ステップの出力が“ｎｏ”である場合、プログラムは一連の決定ステップに進む。
【０１９５】
最初の決定ステップはステップ１５２８の“上昇か”であり、ここで、増大電力レベルアクチュエータ２３ａ，３３ａが作動したこと、または電力レベル選択アクチュエータ４３，５３がその上方位置に作動したことについてＩＲ信号が指示するかどうかの決定がなされる。決定ステップ１５２８の“上昇か”からの出力が“ｙｅｓ”である場合、プログラムは図１６に示された“上昇ルーチンに行く”に進む。決定ステップ１５２８からの出力が“ｎｏ”である場合、プログラムは決定ステップ１５０８の“下降か”に進み、ここで減少電力レベルのアクチュエータ２３ｂ，３３ｂが作動したこと、または電力レベル選択アクチュエータ４３，５３がその下降位置に作動したことについてＩＲ信号が指示するかどうかの決定がなされる。決定ステップ１５０８の“下降か”からの出力が“ｙｅｓ”である場合、プログラムは図１５に示された１５１０の“下降ルーチンに行く”に進む。決定ステップ１５０８の“下降か”からの出力が“ｎｏ”である場合、プログラムは決定ステップ１５０２の“フルオンか”に進み、ここでＩＲ信号が、図２に示すような送信機スイッチアククュエータ２１の２つの一時的な作動が短時間で起こったことを指示するかどうかについて決定がなされる。決定ステップ１５０２からの出力が“ｙｅｓ”であれば、制御ユニット１０はステップ１５１２の“高速フェードでフルオンにフェード”の命令を受け、これは電灯の光度１１４を最大限まで迅速に増大し、次いでステップ１５６２の“ＬＥＤを更新”に進み、ここで、電灯の光度が増大するにつれて、上方の指示装置１４が連続的に照明され、次いでプログラムはステップ１５６４のメインの上部に進む。
【０１９６】
決定ステップ１５０２の“フルオンか”からの出力が“ｎｏ”である場合、プログラムは決定ステップ１５３２の“オフか”に進み、ここでオフアクチュエータ３１ｂ，４１ｅ，５１ｅが作動したこと、または送信器スイッチアクチュエータ２１が作動したこと、及び制御ユニット１０がオン状態にあることをＩＲ信号が指示するかどうかに関して決定がなされる。決定ステップ１５３２からの出力が“ｙｅｓ”である場合、制御ユニット１０はステップ１５３４の“オフにフェード”の命令を受け、ランプ１４の光度をゼロに減少し、ステップ１５６２の“ＬＥＤを更新”に進む。ここで電灯１１４の光度がゼロに減少するにつれて連続的に下方の指示装置が照明される。
【０１９７】
ステップ１５３２の“オフか”の出力が“ｎｏ”である場合、プログラムは、決定ステップ１５１４の“プリセットにオンか”に進み、図２に示す基本的な送信器のアクチュエータ２１の一時的な期間の単一の作動が生じたこと、及び制御ユニット１０がオフ状態にあることをＩＲ信号が指示するかどうかに関して決定がなされる。決定ステップ１５１４からの出力が“ｙｅｓ”である場合、制御ユニット１０はステップ１５１６の“プリセットにフェード”の命令を受け、電灯１１４の光度をゼロからロックされた所定の光度レベルまたは解除された所定の光度レベルのいずれかである所定の光度レベルまで増大し、ステップ１５６２の“ＬＥＤを更新”に進み、ここで所定の光度レベルを指示する指示装置１４が照明されるまで、電灯１１４の光度が増大するにつれて、上方指示装置１４が連続的に照明される。
【０１９８】
決定ステップ１５１４の“プリセットにオンか”の出力が“ｎｏ”である場合、プログラムは決定ステップ１５０４の“オフに遅延か”に進み、ここで送信スイッチアクチュエータ２１、または図２，３，４及び５に示すようなオフアクチュエータ３１，４１ｅ，５１ｅが０．５秒以上の時間にわたって作動したことをＩＲ信号が指示するかどうかについて決定がなされる。決定ステップ１５０４からの出力が“ｙｅｓ”である場合、制御ユニット１０はステップ１５３６の“決定された遅延時間でオフに遅延”の命令を受ける。マイクロプロセッサ１０８はアクチュエータ２１，３１，４１ｅ，５１ｅが作動した時間の長さから遅延時間を決定し、制御ユニット１０は電灯１１４を遅延時間の長さにわたって現在の光度レベルに保持し、次いで電灯１１４の光度をゼロまで減少させる。次いでプログラムはステップ１５６２の“ＬＥＤを更新”に進み、ここで現在の光度レベルを指示する指示装置１４が遅延時間の間点滅し、電灯１１４の光度がゼロまで減少するにつれて、下方の指示装置１４が連続して照明される。
【０１９９】
決定ステップ１５０４の“オフに遅延”の出力が“ｎｏ”である場合、プログラムは決定ステップ１５１８の“シーン命令か”に進み、ここで、シーン選択アクチュエータ３１Ａ，４１ａ−ｄ，５１ａ−ｄの１つ、または改良されたワイヤレス送信器のシーン選択アクチュエータとして使用されている特殊機能アクチュエータ５１ｆ−ｉの１つが作動したことをＩＲ信号が指示するかどうかに関して決定がなされる。決定ステップ１５１８の出力が“ｙｅｓ”である場合、プログラムはステップ１５３８の“シーンを決定”に進み、ここで作動される特定のシーン選択アクチュエータが決定される。次いでプログラムは決定ステップ１５４０の“最後の０．５秒で同じアクチュエータが作動したか”に続き、ここで特定のシーン選択アクチュエータが前に最後の０．５秒で作動したかどうかに関して決定がなされる。決定ステップ１５４０からの出力が“ｙｅｓ”である場合、プログラムはステップ１５４２の“シーンナンバーに４を加える”に進む。特定のシーン選択アクチュエータに関連する大きな数の格納された所定の光度レベルが使用される。プログラムはステップ１５２０の“シーンにフェード”に進み、ここで電灯の光度の値が、シーン選択アクチュエータに関連し、改良されたワイヤレス送信器３０，４０，５０から制御ユニット１０に前にプログラムされた所望の格納された所定の光度レベルに等しくなるまで、増減する。プログラムはステップ１５６２の“ＬＥＤを更新”に進み、ここで現在の光度を指示する指示装置１４がまず照明され、所定の光度レベルを指示する指示装置１４が照明されるまで、電灯１１４の光度が変化するにつれて、上方のまたは下方の指示装置が連続的に照明される。決定ステップ１５４０の“最後の０．５秒で同じアクチュエータが作動したか”の出力が、“ｎｏ”である場合、プログラムはシーンナンバーに４を加えることなく、ステップ１５２０の“シーンにフェイド”に進み、前述したように制御ユニット１０に同じ効果が得られる。
【０２００】
決定ステップ１５１８の“シーン命令か”の出力が“ｎｏ”である場合、プログラムは決定ステップ１５０６の“ＩＲプログラム信号か”に進み、ここで改良された送信器３０，４０，５０のアクチュエータの適当な組み合わせが作動し、制御ユニットをプログラムモードに入れたことをＩＲ信号が指示するかどうかに関して決定が行われる。決定ステップ１５０６の出力が“ｙｅｓ”である場合、プログラムは決定ステップ１５２２の“３秒間プログラム信号を受信したか”に進み、ここで、アクチュエータの組み合わせが３秒間で作動したかどうかに関して決定がなされる。決定ステップ１５２２の出力が“ｙｅｓ”である場合、プログラムは決定ステップ１５２４の“現在プログラムモードか”に進み、ここで制御ユニット１０が現在プログラムモードかどうかに関して決定が行われる。決定ステップ１５２４の出力が“ｙｅｓ”である場合、プログラムはステップ１５４４の“ＩＲプログラムモードから出る”に進み、ここで制御ユニット１０はプログラムモードを出る。つぎにプログラムはステップ１５４６の“プリセットシーン光度レベルを格納”に進み、ここでプログラムされている最後のアクチュエータに関連する所定のレベルがメモリに格納され、次いでプログラムはステップ１５４８の“ＬＥＤの点滅を停止”に進み、ここでプログラムに関連してオンオフが繰り返されている指示装置１４が消える。次いでプログラムはステップ１５６２の“ＬＥＤの更新”に進み、ここで指示装置１４の光度が制御ユニット１０の新しい条件を反映するよう更新され、プログラムはステップ１５６４のメインの上部に戻る。
【０２０１】
決定ステップ１５２４の“現在プログラムモードか”の出力が“ｎｏ”である場合、プログラムはステップ１５２６の“シーン１のプログラムモードに入る”に進む。制御ユニットはプログラムモードに入る命令を受け、第１の選択シーンアクチュエータ３１ａ，４１ａ，５１ａを作動することによって再び呼び出された所定のために格納された所定の光度を調整する信号を受ける。次いでプログラムはステップ１５６０の“ＬＥＤを点滅”に進む。指示装置１４は改良された遠隔制御送信器３０，４０，５０からの所定の光度のプログラミングの説明に関して上述したようにオンオフを繰り返し、プログラムはステップ１５６２の“ＬＥＤを更新する”に進み、ここで指示装置１４の光度は制御ユニット１０の新しい条件を反映するよう更新される。決定ステップ１５２２の“３秒間プログラム信号を受信したか”の出力が“ｎｏ”である場合、プログラムはステップ１５６２の“ＬＥＤを更新”に進む。決定ステップ１５０６の“ＩＲプログラム信号か”の出力が“ｎｏ”である場合、プログラムは決定ステップ１５９２の“特殊機能か”に進み、ここで特殊機能のアクチュエータ５１ｆ−ｉが改良したワイヤレス遠隔制御装置５０で作動したことを指示するＩＲ信号を受信したかどうかに関して決定がなされる。
【０２０２】
決定ステップ１５９２の“特殊機能か”の出力が“ｎｏ”である場合、プログラムは決定ステップ１５９０の“学習アドレスモードか”に進み、ここで制御ユニット１０に新しいアドレスがついたことを示すＩＲ信号を受信したかどうかについて決定がなされる。決定ステップ１５９０の“学習アドレスステップ”の出力が“ｎｏ”である場合、プログラムはステップ１５６４の“メインの上部に戻る”に進む。決定ステップ１５９０の出力が“ｙｅｓ”である場合、プログラムはステップ１５８０の“新しいアドレスを格納”に進み、ここで制御ユニット１０に割り当てられた新しいアドレスがメモリに格納される。次いでプログラムはステップ１５６４の“メインの上部に戻る”に進む。決定ステップ１５９２の“特殊機能か”の出力が“ｙｅｓ”である場合、これは特殊機能のアクチュエータ５１ｆ−ｉが改良されたワイヤレス遠隔５０で作動したことを示す。次いでプログラムは決定ステップ１５９４の“長いフェード機能か”に進むことにより、どの特殊機能が選択されたかを決定し、ここで“長いフェード機能”が選択されたことを指示するＩＲ信号を受信したかどうかに関する決定を行う。決定ステップ１５９４の“長いフェード機能”の出力が“ｙｅｓ”である場合、ユニットはステップ１５９６の“決定されたフェード時間でオフにフェード”の命令を受け、ここで電灯１１４の光度レベルが一定時間でゼロまでゆっくり減少する。この時間はどれくらい長い時間特殊機能アクチュエータが作動したかに依存する。次いでプログラムはステップ１５６０の“ＬＥＤを点滅する”に進み、ここで指示装置１４は特殊機能の“決定されたフェード時間でオフまでフェード”の説明に関連して上述したようにオンオフを繰り返す。次いでプログラムはステップ１５６２の“ＬＥＤの更新”に進み、ここで指示装置１４の光度が制御ユニット１０の新しい条件を反映するよう更新される。決定ステップ１５９４の“長いフェードか”の出力が“ｎｏ”である場合、プログラムは決定ステップ１５８６の“前の光度レベルか”に進み、ここで前の光度レベルの特殊機能を選択したことを指示するＩＲ信号を受信したかどうかに関する決定がなされる。決定ステップの１５８６の“前の光度レベル”の出力が“ｎｏ”である場合、プログラムはステップ１５６４の“メインの上部に戻る”に進む。決定ステップ１５８６の“前の光度レベルか”の出力が“ｙｅｓ”である場合、プログラムはステップ１５８８の“前の光度レベルに戻る”に進み、ここで制御ユニット１０が命令を受け、シーン選択アクチュエータまたは増大または減少電力レベル選択アクチュエータの作動によって、ランプ１１４の光度を最後に調整される前の電灯の光度に調整する。次いでプログラムは“ＬＥＤの更新”に進み、ここで指示装置１４の光度が制御ユニット１０の新しい条件を反映するよう更新される。
【０２０３】
決定ステップ１５５２の“ＩＲプログラムモードか”の出力が、“ｙｅｓ”である場合、制御ユニット１０は“ＩＲプログラムモード”にあることを示し、プログラムは決定ステップ１５５４の“上昇か”に進み、ここで増大電力レベルアクチュエータ２３ａ，３３ａが作動したか、または電力選択クチュエータ４３，５３がその上部位置にあることを示すＩＲ信号を受信したかどうかに関して決定がなされる。決定ステップ１５５４の“上昇か”の出力が“ｙｅｓ”である場合、プログラムはステップ１５５６の“１ステップだけ光度レベルを増大する”に進み、ここで制御ユニット１０の出力電力が増大する。次いでプログラムはステップ１５５８の“シーン用のプリセットとして光度レベルを格納”に進み、ここで、プログラムされているシーン選択アクチュエータ用に新しい光度レベルが格納され、プログラムはステップ１５６０の“ＬＥＤを点滅”に進み、ここで指示装置１４が上述のように作動し、プログラムされているシーンアクチュエータ及び現在の光度レベルを指示する。プログラムはステップ１５６２の“ＬＥＤの更新”に進み、ここで、指示装置１４の光度が制御ユニット１０の新しい条件を反映するよう更新される。次いでプログラムはステップ１５６４の“メインの上部に戻る”に進む。決定ステップ１５５４の“上昇”の出力が“ｎｏ”である場合、プログラムは決定ステップ１５６６の“下降か”に進み、ここで減少電力レベルアクチュエータ２３ｂ，３３ｂが作動したか、または電力選択アクチュエータ４３，５３がその下降位置にあることを指示するＩＲ信号を受信したかどうかに関して決定がなされる。
【０２０４】
決定ステップ１５６６の“下降か”の出力が“ｙｅｓ”である場合、プログラムはステップ１５６８の“１ステップだけ光度レベルを減少”に進み、ここで制御ユニット１０の出力電力が減少する。次いでプログラムはステップ１５５８の“シーン用のプリセットとして光度レベルを格納”に進み、つぎにステップ１５６２の“ＬＥＤを更新”に、つぎにステップ１５６４の“メインの上部に戻る”に進む。以上は直前に示したものと同じ効果を有する。
【０２０５】
決定ステップ１５６６の“下降か”の出力が“ｎｏ”である場合、プログラムは決定ステップ１５７２の“シーン命令か”に進み、ここで、シーン選択アクチュエータ３１ａ，４１ａ−ｄ，５１ａ−ｄが作動したことを示すＩＲ信号を受信したかどうかに関して決定がなされる。決定ステップ１５７２の“シーン命令”の出力が“ｙｅｓ”である場合、プログラムはステップ１５７４の“シーンを決定”に進み、どのシーン選択アクチュエータが作動したかに関して決定がなされる。プログラムは決定ステップ１５７６の“最後の０．５秒で同じシーンアクチュエータが作動したか”に関する決定が行われ，ここで最後の０．５秒で同じシーン選択アクチュエータが作動したかどうかに関する決定が行われる。決定ステップ１５７６の“最後の０．５秒で同じシーンアクチュエータが作動したか”の出力が“ｙｅｓ”である場合、プログラムはステップ１５７０の“シーンナンバーに４を加える”及び１５７８の“シーンにフェード”に進み、ここでプログラムされている所定の光度レベル用に格納された最後の光度レベルまでランプ１１４の光度レベルの増減が行われる。プログラムはステップ１５８８の“シーン用のプリセットとして光度レベルを格納”に進み、次いでステップ１５６０の“ＬＥＤの点滅”に進み、つぎにステップ１５６２の“ＬＥＤを更新”に進み、ステップ１５６４の“メインの上部に戻る”に進む。以上は上述した同じ効果を有する。
【０２０６】
決定ステップ１５７６の“最後の０．５秒で同じシーンアクチュエータが作動したか”の出力が“ｎｏ”である場合、制御ユニットはシーンナンバーに４を加えることなくステップ１５７８の“シーンへフェイド”の命令を受け、ステップ１５５８の“シーンのプリセットとして光度レベルを格納”に、ステップ１５６０の“ＬＥＤを点滅”に、ステップ１５６２の“ＬＥＤを更新”に、次いでステップ１５６４の“メインの上部に戻る”に進む。以上は上述した同じ効果を有する。決定ステップ１５７２の“シーン命令か”の出力が“ｎｏ”である場合、プログラムは決定ステップ１５８２の“オフか”に進み、ここでオフアクチュエータ３１ｂ，４１ｅ，５１ｅが作動したことを指示するＩＲ信号を受信したかどうかに関する決定がなされる。
【０２０７】
決定ステップ１５８２の“オフか”の出力が“ｙｅｓ”である場合、ユニットはステップ１５８４の“オフにフェード”の命令を受け、ここで制御ユニット１０の出力電力がゼロまで減少する。プログラムは次いでステップ１５５８の“シーン用のプリセットとして光度レベルを格納する”に進み、ステップ１５６２の“ＬＥＤの点滅”にステップ１５６２の“ＬＥＤの更新”及びステップ１５６４の“メインの上部へ戻る”に進む。以上は上述した同じ効果を有する。決定ステップ１５８２の“オフか”の出力が“ｎｏ”であるならば、プログラムはステップ１５６４の“メインの上部に戻る”に進む。
【０２０８】
本発明の他の実施例において、電力制御ユニット１０はワイヤレス遠隔制御ユニット２０，３０，４０，５０から赤外線信号を受ける赤外線レンズ７０を含む。
【０２０９】
レンズの平面図を示す図７を参照すると、赤外線レンズ７０の作動の基本的な原理は、レンズ７０を介して赤外線を屈折し、赤外線エネルギーを受信し、それを電子エネルギーに変換する、赤外線受容面７８を含んで成る検出器７６に反射することである。レンズ７０は入力面７１と、出力面７３と、その間の平坦な本体部分７２とを有する。入力面７１は好ましくは平坦であり、入力面７１に直角な方向から見て矩形の形状を有する。矩形の形状内には入力面延長部分７９が含まれ、この部分７９は入力面７１の両端で主本体部分を越えて伸びている。入力面延長部分７９はレンズ７０の中間の角度性能を高めている。これによって、図８Ｂに示すように入力面７１に直角に約±４０°の角度で入射される赤外線をレンズが捕捉することができるようになっている。
【０２１０】
レンズの出力面７３はレンズ７０の中央に向かって内側にくぼんでいる凹部部分７３ａを含む。この凹部部分７３ａは本体部分７２から検出器７６の入力面７７に、したがって受容面７８に貫通する赤外線を屈折させる。
【０２１１】
本体部分７２は平坦な上面と底面とを備えたほぼ平坦な形状を有し、側面７２ａは楕円７４によって定まる。直交座標のｘ2／ａ2＋ｙ2／ｂ2＝１で楕円７４が定まり、ここで、楕円は主軸７４ｘに対して対称である。２つの弧の長さ７４ａのような軸線７４ｙは楕円７４の任意の点から２つの焦点７４ｃ，７４ｃ′間の距離である。焦点７４ｃ，７４ｃ′からの２つの弧の長さ７４ａは等しい角度７４ｄを有し、楕円の任意の点の楕円７４の周縁により、レンズ７０の側面７２ａが定まる。側面７２ａは入力面７１から本体部分７２に入る赤外線を反射し、図８Ａ，図８Ｂ及び図８Ｃに示すような出力面７３に向かって反射光を向ける。これらの図は、０°，４０°及び８０°でそれぞれ入力面に入射する赤外線を示し、レンズが図９Ａに示すようなアクチュエータ１３に設置されるとき、水平方向の平面の広い視野で赤外線放射を捕捉する。
【０２１２】
レンズ７０の作動を図７を参照して説明する。焦点７４ｃに配置された赤外線の光源（図示せず）が赤外線を双方向に放出するとき、挟角７４ｄ（以降α）に関して角度α≦ｓｉｎ-（１／ｎ）＝α0となり（スネルの法則：ここでｎはレンズの屈折率である。）、光線はレンズの側面７２ａを定める楕円の周縁で全反射する。この光は他の焦点７４ｃ′に反射される。楕円の偏心度が増大すると、α≦α0に対応する角度７４ｄも増大する。従って、楕円７４の主軸７４ｙが減少すると、入力面７１の視野が増大する。
【０２１３】
作動を説明すると、赤外線は電力制御ユニット１０のワイヤレス遠隔送信器２０，３０，４０，５０の等の外部供給源から発し、入力面７１に入る。レンズの好ましい実施例において、入力面７１は平坦な矩形の形状を有する。しかしながら、レンズは任意の形状及び輪郭で製造することができる。好ましくは、ユニットの前面から見て入力面７１は矩形である。ここで、長辺寸法は１．６７ｃｍ（０．６６０インチ）及び短辺寸法が０．３０ｃｍ（０．１２０インチ）である。更に、レンズ７０は、通常、屈折率ｎが好ましくは１ないし２であるポリカーボネートプラスティック等の光学材料から製造される。ここで、ｎは、真空中の光速と光学材料の光速との比として定義される。好ましくは、屈折率ｎ＝１．５８６であるレクサン１４１が使用される。
【０２１４】
図７を参照すると、赤外線検波器７６（破線で示す）は、通常赤外線伝達材料から成る半球形カバー７７に包囲された赤外線受容ダイオード（フォトダイオード）７８である。適当な赤外線検波器はソニー社で製造され、部品ナンバーSBX8025ーHで販売されている。
【０２１５】
本発明の他の態様において、レンズ７０は制御スイッチアクチュエータ１３等の可動部材に配置され、レンズの外面７３が赤外線検波器７６の入力面７７に隣接するように配置される。赤外線検波器７６はレンズ７０の背後の所定の位置に配置される。図９Ａ及び図９Ｂに示す可動部材１３及びレンズ７０は赤外線検波器７６の所定の位置及びその入力面７７に向かうように、及びそこから離れるように移動する。通常、レンズ７０の出力面７３は０．２０ｃｍ（０．０８０インチ）だけ検波器７６の前面から離し、その点で表面７７からもっとも離れている。
【０２１６】
レンズ７０の凹部出力面７３は所望の光学特性を提供し、また概ね検出器７６の入力面７７に対応している。これにより、レンズ７０を検出器７６の更に近くに取り付けることができる。
【０２１７】
上述した内容は、レンズ７０を制御スイッチアクチュエータ１３に設置するにあたって、単一の平面で、好ましくは水平面の広い視角で二次元のレンズ７０をどのように構成するかを開示している。更にレンズ７０の作動はｘ及びｙ軸に沿った二次元で説明してきた。
【０２１８】
２方向に広い視角を有するレンズを構成するために、上述した設計はレンズの軸７４ｘの直交方向に二度使用される。この結果としてできたレンズは楕円である。ｙ軸の長さ、直角に０°でレンズに入る光線に直交するｚ軸（図示せず）は、赤外線検波器７６の受容面７８の形状に依存する。矩形の受容面７８の場合、レンズのｙ軸及びｚ軸は等しく、したがって７６のレンズの入力面は円形である。このようなレンズはレンズの前方の全方向に等しい広角の性能を有する。広角の性能が単一の平面に望まれるときには、レンズはある厚さを有しなければならない。このようなレンズを製造する１つの方法は、その厚さが受容面７８の厚さにほぼ等しくなるように楕円の上部及び底部を切断することである。この結果がほぼ矩形である入力面７１であり、短い縁部は楕円の弧に適応する。これは図７，９Ｂに示す構造であり、ここで側面７２ａは２つの方向の楕円の部分である。
【０２１９】
本発明は、その精神または基本的な姿勢から逸脱せずに、他の特定の形態で実施することができ、したがって、本発明の範囲を示すものとして、前述した明細書よりむしろ添付の請求の範囲を言及すべきである。
【図面の簡単な説明】
【０２２０】
【図１】図１は本発明による赤外線レンズを備えた電力制御及び受信器ユニットの好ましい実施例の正面図を示す。
【図２】図２は本発明による基本的なハンドヘルド型遠隔制御ユニットの好ましい実施例の平面図である。
【図２Ａ】図２Ａは図２に示す基本的な遠隔制御ユニットの左側面図である。
【図２Ｂ】図２Ｂは図２に示す基本的な遠隔制御ユニットの右側面図である。
【図２Ｃ】図２Ｃは図２に示す基本的な遠隔制御ユニットの端面図である。
【図３】図３は本発明による改良されたワイヤレス送信器ユニットの好ましい実施例の平面図である。
【図３Ａ】図３Ａは図３に示す改良されたワイヤレス送信器ユニットの右側面図である。
【図３Ｂ】図３Ｂは、図３に示す改良されたワイヤレス送信器ユニットの端面図である。
【図４】図４は、本発明によるシーン制御を有するワイヤレス送信器ユニットの他の好ましい実施例の平面図である。
【図４Ａ】図４Ａは図４に示すワイヤレス送信器ユニットの端面図である。
【図５】図５はシーン及び特殊機能の制御を有する、本発明による、好ましい改良されたワイヤレス送信器ユニットの他の実施例の平面図である。
【図５Ａ】図５Ａは図５に示す他の改良された送信器ユニットの端面図である。
【図６】図６は送信器ユニットの作動の流れを示すフローチャートである。
【図７】図７は本発明による赤外線レンズの好ましい実施例の平面図である。
【図８Ａ】図８Ａは赤外線の光が０°の入射角度でレンズを通過するとき、図７に示す赤外線レンズの作動を示す図である。
【図８Ｂ】図８Ｂは赤外線の光が４０°の入射角度でレンズを通過するとき、図７に示す赤外線のレンズの作動を示す図である。
【図８Ｃ】図８Ｃは赤外線の光が８０°の入射角度でレンズを通過するとき、図７に示す赤外線のレンズの作動を示す図である。
【図９Ａ】図９Ａは本発明による可動な表面に配置された赤外線レンズの設定を示す図である。
【図９Ｂ】図９Ｂは可動な表面と赤外線検波器に配置された赤外線レンズの斜視図である。
【図１０】図１０は図１に示す受信器ユニットの回路のブロック図である。
【図１１】図１１は図２に示す基本的な制御ユニットの回路のブロック図である。
【図１２Ａ】図１２Ａは図３に示す改良された遠隔制御ユニットの回路のブロック図である。
【図１２Ｂ】図１２Ｂは図４に示す改良された遠隔制御ユニットの回路のブロック図である。
【図１２Ｃ】図１２Ｃは図５に示す改良された遠隔制御ユニットの回路のブロック図である。
【図１３】図１３は受信器ユニットの作動の機能的な流れ図である。
【図１４】図１４は受信器ユニットの作動の機能的な流れ図である。
【図１５】図１５は受信器ユニットの作動の機能的な流れ図である。
【図１６】図１６は受信器ユニットの作動の機能的な流れ図である。
【図１７】図１７は受信器ユニットの作動の機能的な流れ図である。
【図１８】図１８は受信器ユニットの作動の機能的な流れ図である。
【図１９】図１９は受信器ユニットの作動の機能的な流れ図である。
【図２０】図２０は受信器ユニットの作動の機能的な流れ図である。
【図２１】図２１は図１に示す電力制御装置のオフプロフィールへの遅延を示す図である。
【図１】
2007294446.tif 000003
【図２】
2007294446.tif 000004
【図２Ａ】
2007294446.tif 000005
【図２Ｂ】
2007294446.tif 000006
【図２Ｃ】
2007294446.tif 000007
【図３】
2007294446.tif 000008
【図３Ａ】
2007294446.tif 000009
【図３Ｂ】
2007294446.tif 000010
【図４】
2007294446.tif 000011
【図４Ａ】
2007294446.tif 000012
【図５】
2007294446.tif 000013
【図５Ａ】
2007294446.tif 000014
【図６】
2007294446.tif 000015
【図７】
2007294446.tif 000016
【図８Ａ】
2007294446.tif 000017
【図８Ｂ】
2007294446.tif 000018
【図８Ｃ】
2007294446.tif 000019
【図９Ａ】
2007294446.tif 000020
【図９Ｂ】
2007294446.tif 000021
【図１０】
2007294446.tif 000022
【図１１】
2007294446.tif 000023
【図１２Ａ】
2007294446.tif 000024
【図１２Ｂ】
2007294446.tif 000025
【図１２Ｃ】
2007294446.tif 000026
【図１３】
2007294446.tif 000027
【図１４】
2007294446.tif 000028
【図１５】
2007294446.tif 000029
【図１６】
2007294446.tif 000030
【図１７】
2007294446.tif 000031
【図１８】
2007294446.tif 000032
【図１９】
2007294446.tif 000033
【図２０】
2007294446.tif 000034
【図２１】
2007294446.tif 000035